(57)【要約】捕虫カートリッジが提供される。カートリッジは、捕虫装置のベース部内に受容可能な近位端を有する。近位端は、ベース部内のスイッチをアクティブにするための、実質的に平らな縦方向に延びるタブを有する。カートリッジのタブは、カートリッジの中心線から横方向にずらされている。
2019517814.tif 000002
【特許請求の範囲】
【請求項１】
ベース部と共に使用するための捕虫カートリッジであって、
使用時にベース部内に受容可能な近位端であって、前記近位端は、実質的に平らな、縦方向に延びたタブを含み、前記タブは、第１の側縁部及び第２の側縁部を有する、近位端と、
前記近位端の反対側にある遠位端と、
虫を受け入れるための細長エンクロージャと、
前記虫を捕獲するための粘着面と、を含み、
前記捕虫カートリッジは、前記捕虫カートリッジを横方向における左右各側に分割する縦方向中心線を有し、
前記タブの前記第１の側縁部及び前記第２の側縁部はそれぞれ、前記捕虫カートリッジの前記縦方向中心線から、横方向にずれており、かつ、前記捕虫カートリッジの、横方向における同一の側に位置している、捕虫カートリッジ。
【請求項２】
前記タブは、前記細長エンクロージャから離れるように、近位側に延びている、請求項１に記載の捕虫カートリッジ。
【請求項３】
前記近位端は、横方向に延びたリブを更に含む、請求項１又は２に記載の捕虫カートリッジ。
【請求項４】
前記タブは、前記リブから延びている、請求項３に記載の捕虫カートリッジ。
【請求項５】
前記タブは、前記リブと一体である、請求項４に記載の捕虫カートリッジ。
【請求項６】
前記リブは、前記タブを含む、請求項３に記載の捕虫カートリッジ。
【請求項７】
表面は、前記エンクロージャの少なくとも一部を画定し、前記近位端は、前記表面から内側にくぼんでいる、請求項１〜６のいずれか一項に記載の捕虫カートリッジ。
【請求項８】
前記近位端の高さは、約２５ｍｍ〜約３５ｍｍである、請求項１〜７のいずれか一項に記載の捕虫カートリッジ。
【請求項９】
前記近位端の奥行きは、約１２ｍｍ〜約１８ｍｍである、請求項１〜８のいずれか一項に記載の捕虫装置。
【請求項１０】
前記タブの縦方向中心線は、前記カートリッジの前記縦方向中心線から横方向に約１１ｍｍ〜約１５ｍｍずれている、請求項１〜９に記載の捕虫カートリッジ。
【請求項１１】
前記タブは、下部を有し、前記下部は、前記下部の最も近位側の箇所から、少なくとも１０ｍｍ遠位側に延びる縦方向長さを有する、請求項１〜１０のいずれか一項に記載の捕虫カートリッジ。
【請求項１２】
前記下部は、前記第１の側縁部及び前記第２の側縁部の少なくとも一部分を含み、前記第１の側縁部は、前記カートリッジの前記縦方向中心線に、より近位であり、前記第１の側縁部の少なくとも一部分は、前記カートリッジの前記縦方向中心線から少なくとも７ｍｍずれている、請求項１１に記載の捕虫カートリッジ。
【請求項１３】
前記タブの前記下部は、最大の全体幅が、約１ｍｍ〜約１４ｍｍ、好ましくは約５ｍｍ〜約１３ｍｍであり、縦方向長さが、約８ｍｍ〜約５０ｍｍ、好ましくは約１０ｍｍ〜約１８ｍｍである、請求項１１又は１２に記載の捕虫カートリッジ。
【請求項１４】
前記タブの前記下部の最大厚さは、約０．０５ｍｍ〜約３ｍｍ、好ましくは約１ｍｍ〜約２ｍｍである、請求項１１〜１３のいずれか一項に記載の捕虫カートリッジ。
【請求項１５】
前記タブの全体幅は、前記カートリッジの前記近位端の全体幅の２５％未満である、請求項１〜１４のいずれか一項に記載の捕虫カートリッジ。
【請求項１６】
虫が前記エンクロージャに入り得る開口部を更に含む、請求項１〜１５のいずれか一項に記載の捕虫カートリッジ。
【請求項１７】
粘着剤は、少なくとも部分的に前記エンクロージャ内に配置されている、請求項１〜１６のいずれか一項に記載の捕虫カートリッジ。
【請求項１８】
前記カートリッジは、前面と後面を更に含み、前記タブは、前記前面と前記後面とのおよそ中間に配置されている、請求項１〜１７のいずれか一項に記載の捕虫カートリッジ。
【請求項１９】
前記カートリッジは、前記近位端に近接して配置された底部開口部を更に含む、請求項１〜１８のいずれか一項に記載の捕虫カートリッジ。
【請求項２０】
前記底部開口部は、実質的に、前記カートリッジの一方の側縁部から、前記カートリッジの反対側の側縁部にかけて延びている、請求項１９に記載の捕虫カートリッジ。
【請求項２１】
前記底部開口部は、底面図上に投影して、前記底部開口部の両側間で、横方向において測定した際に、約７０ｍｍ〜約８０ｍｍの横方向幅を有する、請求項１９又は２０に記載の捕虫カートリッジ。
【請求項２２】
前記底部開口部は、底面図上に投影して、前記開口部の前側と前記開口部の後側との間で、横方向において測定した際に、約２０ｍｍ〜約３０ｍｍの奥行きを有する、請求項１９〜２１のいずれか一項に記載の捕虫カートリッジ。
【請求項２３】
前記エンクロージャは、ハウジングによって画定され、前記ハウジングの後側縁部は、前記底部開口部の一部分を画定している、請求項１９〜２２のいずれか一項に記載の捕虫カートリッジ。
【請求項２４】
前記エンクロージャは、前側エンクロージャと後側エンクロージャを含む、請求項１〜２３のいずれか一項に記載の捕虫カートリッジ。
【請求項２５】
前記エンクロージャを前記前側エンクロージャと前記後側エンクロージャとに分割する仕切りを更に含む、請求項２４に記載の捕虫カートリッジ。
【請求項２６】
前記仕切りは、前記粘着面を含む、請求項２５に記載の捕虫カートリッジ。
【請求項２７】
前記前側エンクロージャは、前側ハウジング及び前記仕切りにより形成され、前記後側エンクロージャは、後側ハウジング及び前記仕切りにより形成されている、請求項２５及び２６に記載の捕虫カートリッジ。
【請求項２８】
前記タブは、スイッチを有するベース部のオフセットスロットを通過するように構成されている、請求項１〜２７のいずれか一項に記載の捕虫カートリッジ。
【請求項２９】
ベース部と共に使用するための捕虫カートリッジであって、
使用時にベース部内に受容可能な近位端であって、前記近位端は、実質的に平らな領域を有する、縦方向に延びたタブを含む、近位端と、
前記近位端の反対側にある遠位端と、
虫を受け入れるための細長エンクロージャと、
前記虫を捕獲するための粘着面と、を含み、
前記捕虫カートリッジは、縦方向中心線を有し、前記タブの前記実質的に平らな領域は、前記捕虫カートリッジの前記縦方向中心線と重ならない、捕虫カートリッジ。
【請求項３０】
前記タブは、前記細長エンクロージャから離れるように、近位側に延びている、請求項２９に記載の捕虫カートリッジ。
【請求項３１】
前記近位端は、横方向に延びたリブを更に含む、請求項２９又は３０に記載の捕虫カートリッジ。
【請求項３２】
前記タブは、前記リブから延びている、請求項３１に記載の捕虫カートリッジ。
【請求項３３】
前記タブは、前記リブと一体である、請求項３２に記載の捕虫カートリッジ。
【請求項３４】
前記リブは、前記タブを含む、請求項３１に記載の捕虫カートリッジ。
【請求項３５】
表面は、前記エンクロージャの少なくとも一部を画定し、前記近位端は、前記表面から内側にくぼんでいる、請求項２９〜３４のいずれか一項に記載の捕虫カートリッジ。
【請求項３６】
前記近位端の高さは、約２５ｍｍ〜約３５ｍｍである、請求項２９〜３５のいずれか一項に記載の捕虫カートリッジ。
【請求項３７】
前記近位端の奥行きは、約１２ｍｍ〜約１８ｍｍである、請求項２９〜３６のいずれか一項に記載の捕虫装置。
【請求項３８】
前記タブの縦方向中心線は、前記カートリッジの前記縦方向中心線から横方向に約１１ｍｍ〜約１５ｍｍずれている、請求項２９〜３７のいずれか一項に記載の捕虫カートリッジ。
【請求項３９】
前記タブは、下部を有し、前記下部は、前記下部の最も近位側の箇所から、少なくとも１０ｍｍ遠位側に延びる縦方向長さを有する、請求項２９〜３８のいずれか一項に記載の捕虫カートリッジ。
【請求項４０】
前記タブは、第１の側縁部と第２の側縁部を有し、前記下部は、前記第１の側縁部及び前記第２の側縁部の少なくとも一部分を含み、前記第１の側縁部は、前記カートリッジの前記縦方向中心線に、より近位であり、前記第１の側縁部の少なくとも一部分は、前記カートリッジの前記縦方向中心線から少なくとも７ｍｍずれている、請求項３９に記載の捕虫カートリッジ。
【請求項４１】
前記タブの前記下部は、最大の全体幅が、約１ｍｍ〜約１４ｍｍ、好ましくは約５ｍｍ〜約１３ｍｍであり、縦方向長さが、約８ｍｍ〜約５０ｍｍ、好ましくは約１０ｍｍ〜約１８ｍｍである、請求項３９又は４０に記載の捕虫カートリッジ。
【請求項４２】
前記タブの前記下部の最大厚さは、約０．０５ｍｍ〜約３ｍｍ、好ましくは約１ｍｍ〜約２ｍｍである、請求項３９〜４１のいずれか一項に記載の捕虫カートリッジ。
【請求項４３】
前記タブの全体幅は、前記カートリッジの前記近位端の全体幅の２５％未満である、請求項２９〜４２のいずれか一項に記載の捕虫カートリッジ。
【請求項４４】
虫が前記エンクロージャに入り得る開口部を更に含む、請求項２９〜４３のいずれか一項に記載の捕虫カートリッジ。
【請求項４５】
粘着剤は、少なくとも部分的に前記エンクロージャ内に配置されている、請求項２９〜４４のいずれか一項に記載の捕虫カートリッジ。
【請求項４６】
前記カートリッジは、前面と後面を更に含み、前記タブは、前記前面と前記後面とのおよそ中間に配置されている、請求項２９〜４５のいずれか一項に記載の捕虫カートリッジ。
【請求項４７】
前記カートリッジは、前記近位端に近接して配置された底部開口部を更に含む、請求項２９〜４６のいずれか一項に記載の捕虫カートリッジ。
【請求項４８】
前記底部開口部は、実質的に、前記カートリッジの一方の側縁部から、前記カートリッジの反対側の側縁部にかけて延びている、請求項４７に記載の捕虫カートリッジ。
【請求項４９】
前記底部開口部は、底面図上に投影して、前記底部開口部の両側間で、横方向において測定した際に、約７０ｍｍ〜約８０ｍｍの横方向幅を有する、請求項４７又は４８に記載の捕虫カートリッジ。
【請求項５０】
前記底部開口部は、底面図上に投影して、前記開口部の前側と前記開口部の後側との間で、横方向において測定した際に、約２０ｍｍ〜約３０ｍｍの奥行きを有する、請求項４７〜４９のいずれか一項に記載の捕虫カートリッジ。
【請求項５１】
前記エンクロージャは、ハウジングによって画定され、前記ハウジングの後側縁部は、前記底部開口部の一部分を画定している、請求項４７〜５０のいずれか一項に記載の捕虫カートリッジ。
【請求項５２】
前記エンクロージャは、前側エンクロージャと後側エンクロージャを含む、請求項２９〜５１のいずれか一項に記載の捕虫カートリッジ。
【請求項５３】
前記エンクロージャを前記前側エンクロージャと前記後側エンクロージャとに分割する仕切りを更に含む、請求項５２に記載の捕虫カートリッジ。
【請求項５４】
前記仕切りは、前記粘着面を含む、請求項５３に記載の捕虫カートリッジ。
【請求項５５】
前記前側エンクロージャは、前側ハウジング及び前記仕切りにより形成され、前記後側エンクロージャは、後側ハウジング及び前記仕切りにより形成されている、請求項５３及び５４に記載の捕虫カートリッジ。
【請求項５６】
前記タブは、スイッチを有するベース部のオフセットスロットを通過するように構成されている、請求項２９〜５５のいずれか一項に記載の捕虫カートリッジ。
【発明の詳細な説明】
【技術分野】
【０００１】
本開示は、全般的には、捕虫装置に関し、より具体的には、持ち運び可能な捕虫装置のためのカートリッジに関する。
【背景技術】
【０００２】
これまで、種々の有害生物防除装置が、虫及び他の有害生物を捕獲するために使用されてきた。虫によって拡散される様々な疾患、感染及びその他の健康上のリスクが近年大幅に増加しているため、有害生物防除装置の必要性が増加するばかりである。そのような有害生物防除装置は、有害生物防除装置に有害生物を引き付ける誘引機構を一般的に採用している。例示的な誘引機構には、食品、光、熱、フェロモン又は有害生物を誘引することが見出された他の臭気物質などの誘引剤が挙げられる。いくつかの有害生物防除装置は、有害生物防除装置からの有害生物が逃げないようにするための固定化機構をこれまで含んでいた。使用された固定化機構の１種は、粘着剤でコーティングされた表面を有する板紙、紙又は他の媒体などの基材である。有害生物防除装置に誘引された又は粘着剤に偶然接触した有害生物は、粘着によって捕獲されることとなる。
【０００３】
一部の消費者にとっては、カ、ハエ、ガなどを含む多種多様な飛ぶ虫を同時に誘引かつ捕捉することができる有害生物防除装置を有することが好ましい。しかし、カは、特に危険な場合がある。いくつかの種類のカは、マラリア、デング熱、黄熱、西ナイルウイルス及びジカウイルスを含む多数の疾患のキャリアとして既知である。これらの疾患のうち、マラリアは、「最も流行し、最も悪性のヒトの疾患」として記述されてきた。Ｗｈｉｔｅ，Ｎ．，Ａｎｔｉｍａｌａｒｉａｌ  Ｄｒｕｇ  Ｒｅｓｉｓｔａｎｃｅ，Ｔｈｅ  Ｊｏｕｒｎａｌ  ｏｆ  Ｃｌｉｎｉｃａｌ  Ｉｎｖｅｓｔｉｇａｔｉｏｎ，Ｖｏｌ．１１３，ｎｏ．８（２００４）。２０１０年の時点で、世界保健機関は、マラリアが２億１９００万症例発生し、６６万人が死亡したと推定した。Ｄａｎｉｅｌ，Ｊ．，Ｄｒｕｇ  Ｒｅｓｉｓｔａｎｔ  Ｍａｌａｒｉａ−Ａ  Ｇｅｎｅｒａｔｉｏｎ  ｏｆ  Ｐｒｏｇｒｅｓｓ  ｉｎ  Ｊｅｏｐａｒｄｙ，Ｃｅｎｔｅｒ  ｆｏｒ  Ｓｔｒａｔｅｇｉｃ  ＆  Ｉｎｔｅｒｎａｔｉｏｎａｌ  Ｓｔｕｄｉｅｓ（２０１３）。不幸にも、マラリアは、５歳未満の小児について３番目に多い死因であり、１時間ごとに５０人以上が亡くなっている。同文献。いくつかのカの種は、ヒト病原体のキャリアであると考えられ、ネッタイシマカ、ヒトスジシマカ、エデス・カナデンシス、ガンビアハマダラカ、アノフェレス・フェヌストス（Anopheles Fenustus）、クレックス・アンヌリロトリス、クレックス・アンヌラス及びネッタイイエカなどがある。
【０００４】
熱は、カを誘引することが知られている。例えば、Ｍａｅｋａｗａ  ｅｔ  ａｌ．，Ｔｈｅ  Ｒｏｌｅ  ｏｆ  ｐｒｏｂｏｓｃｉｓ  ｏｆ  ｔｈｅ  ｍａｌａｒｉａ  ｖｅｃｔｏｒ  ｍｏｓｑｕｉｔｏ  Ａｎｏｐｈｅｌｅｓ  ｓｔｅｐｈｅｎｓｉ  ｉｎ  ｈｏｓｔ−ｓｅｅｋｉｎｇ  ｂｅｈａｖｉｏｒ，Ｐａｒａｓｉｔｅｓ  ａｎｄ  Ｖｅｃｔｏｒｓ，４：１０（２０１１）を参照されたい。Ｇｒｅｐｐｉらは、「カは、標的が周囲よりも高温となったときに強く誘引されたが、最大約５０℃までであった。標的がより高温になったとき、この誘引力が強く低下した」ことを観察した。Ｇｒｅｐｐｉ  ｅｔ  ａｌ．，Ｓｏｍｅ  ｌｉｋｅ  ｉｔ  ｈｏｔ，ｂｕｔ  ｎｏｔ  ｔｏｏ  ｈｏｔ，ｅＬｉｆｅ  ４：ｅ１２８３８（２０１５）。また、ＣｏＲｆａｓ  ｅｔ  ａｌ．，Ｔｈｅ  ｃａｔｉｏｎ  ｃｈａｎｎｅｌ  ＴＲＰＡ１  ｔｕｎｅｓ  ｍｏｓｑｕｉｔｏ  ｔｈｅｒｍｏｔａｘｉｓ  ｔｏ  ｈｏｓｔ  ｔｅｍｐｅｒａｔｕｒｅｓ，ｅＬｉｆｅ  ４：ｅ１１７５０（２０１５）を参照されたい。カ及び他の虫はまた、光源に誘引することもできる。例えば、Ｂｕｒｅｔｔ  ｅｔ  ａｌ．，Ｌａｂｏｒａｔｏｒｙ  ｅｖａｌｕａｔｉｏｎ  ｏｆ  ｃｏｌｏｒｅｄ  ｌｉｇｈｔ  ａｓ  ａｎ  ａｔｔｒａｃｔａｎｔ  ｆｏｒ  ｆｅｍａｌｅ  ａｅｄｅｓ  ａｇｙｐｔｉ，ａｅｄｅｓ  ａｌｂｏｐｉｃｔｕｓ，ａｎｏｐｈｅｌｅｓ  ｑｕａｄｒｉｍａｃｕｌａｔｕｓ  ａｎｄ  ｃｕｌｅｘ  ｎｉｇｒｉｐａｌｐｕｓ，Ｔｈｅ  Ｆｌｏｒｉｄａ  Ｅｎｔｏｍｏｌｏｇｉｓｔ，Ｖｏｌ．８８，Ｎｏ．４（２００５）を参照されたい。
【０００５】
虫を捕獲するための粘着剤を光及び熱と組み合わせた捕虫装置が既知であり、いくつかの例は、国際公開第２０１５／１６４，８４９号に記載されている。そのようないくつかの装置は、電子部品を収容するベース部に選択的に取り付けられるカートリッジを利用する。いくつかの例では、カートリッジは、液体又はゲルなどの誘引要素を含んでもよい。
【先行技術文献】
【特許文献】
【０００６】
【特許文献１】国際公開第２０１５／１６４，８４９号
【非特許文献】
【０００７】
【非特許文献１】Ｗｈｉｔｅ，Ｎ．，Ａｎｔｉｍａｌａｒｉａｌ  Ｄｒｕｇ  Ｒｅｓｉｓｔａｎｃｅ，Ｔｈｅ  Ｊｏｕｒｎａｌ  ｏｆ  Ｃｌｉｎｉｃａｌ  Ｉｎｖｅｓｔｉｇａｔｉｏｎ，Ｖｏｌ．１１３，ｎｏ．８（２００４）
【非特許文献２】Ｄａｎｉｅｌ，Ｊ．，Ｄｒｕｇ  Ｒｅｓｉｓｔａｎｔ  Ｍａｌａｒｉａ−Ａ  Ｇｅｎｅｒａｔｉｏｎ  ｏｆ  Ｐｒｏｇｒｅｓｓ  ｉｎ  Ｊｅｏｐａｒｄｙ，Ｃｅｎｔｅｒ  ｆｏｒ  Ｓｔｒａｔｅｇｉｃ＆Ｉｎｔｅｒｎａｔｉｏｎａｌ  Ｓｔｕｄｉｅｓ（２０１３）
【非特許文献３】Ｍａｅｋａｗａ  ｅｔ  ａｌ．，Ｔｈｅ  Ｒｏｌｅ  ｏｆ  ｐｒｏｂｏｓｃｉｓ  ｏｆ  ｔｈｅ  ｍａｌａｒｉａ  ｖｅｃｔｏｒ  ｍｏｓｑｕｉｔｏ  Ａｎｏｐｈｅｌｅｓ  ｓｔｅｐｈｅｎｓｉ  ｉｎ  ｈｏｓｔ−ｓｅｅｋｉｎｇ  ｂｅｈａｖｉｏｒ，Ｐａｒａｓｉｔｅｓ  ａｎｄ  Ｖｅｃｔｏｒｓ，４：１０（２０１１）
【非特許文献４】Ｇｒｅｐｐｉ  ｅｔ  ａｌ．，Ｓｏｍｅ  ｌｉｋｅ  ｉｔ  ｈｏｔ，ｂｕｔ  ｎｏｔ  ｔｏｏ  ｈｏｔ，ｅＬｉｆｅ  ４：ｅ１２８３８（２０１５）
【非特許文献５】ＣｏＲｆａｓ  ｅｔ  ａｌ．，Ｔｈｅ  ｃａｔｉｏｎ  ｃｈａｎｎｅｌ  ＴＲＰＡ１  ｔｕｎｅｓ  ｍｏｓｑｕｉｔｏ  ｔｈｅｒｍｏｔａｘｉｓ  ｔｏ  ｈｏｓｔ  ｔｅｍｐｅｒａｔｕｒｅｓ，ｅＬｉｆｅ  ４：ｅ１１７５０（２０１５）
【非特許文献６】Ｂｕｒｅｔｔ  ｅｔ  ａｌ．，Ｌａｂｏｒａｔｏｒｙ  ｅｖａｌｕａｔｉｏｎ  ｏｆ  ｃｏｌｏｒｅｄ  ｌｉｇｈｔ  ａｓ  ａｎ  ａｔｔｒａｃｔａｎｔ  ｆｏｒ  ｆｅｍａｌｅ  ａｅｄｅｓ  ａｇｙｐｔｉ，ａｅｄｅｓ  ａｌｂｏｐｉｃｔｕｓ，ａｎｏｐｈｅｌｅｓ  ｑｕａｄｒｉｍａｃｕｌａｔｕｓ  ａｎｄ  ｃｕｌｅｘ  ｎｉｇｒｉｐａｌｐｕｓ，Ｔｈｅ  Ｆｌｏｒｉｄａ  Ｅｎｔｏｍｏｌｏｇｉｓｔ，Ｖｏｌ．８８，Ｎｏ．４（２００５）
【発明の概要】
【発明が解決しようとする課題】
【０００８】
しかし、改善の余地がある。実際に、漏れたときにカートリッジ内の液体及びゲルに意図せず接触するリスクを低減する様式で装着された、電子部品を有する捕虫装置を提供することが有利であろう。カートリッジがベース部に装着されたときにスイッチを閉じることによってそのような電気部品に通電するとともに、カートリッジをベース部に装着するときの適切な向き及び位置合わせを確実にするカートリッジを提供することが更に有利であろう。ユーザが指又は異物をベース部内に挿入して、スイッチ又は、その一部が高電圧を伴い得る、内部の他の電子部品に接触するリスクを最小化する、コンパクトな様式で配置された、スイッチを備えるベース部を有する捕虫装置を提供することが更に有利であろう。ベース部内のスイッチを閉じるための構造を有するカートリッジを提供し、カートリッジ構造がベース部の上述の所望の特徴に適合する様式で構成されていることが、また更に有利であろう。多くの改善の余地が上述されているが、以下の開示は、そのような改善のいずれか又は全てを提供する装置に限定されていないことが理解されよう。
【課題を解決するための手段】
【０００９】
本開示は、一実施形態において、ベース部と共に使用するための捕虫カートリッジにより、上述した要望のうちの１つ又は２つ以上を満たす。捕虫カートリッジは、使用時にベース部内に受容可能な近位端を含む。近位端は、実質的に平らな、縦方向に延びたタブを含み、タブは、第１の側縁部及び第２の側縁部を含む。捕虫カートリッジは、近位端の反対側にある遠位端と、虫を受け入れるための細長エンクロージャと、虫を捕獲するための粘着面と、を更に含む。捕虫カートリッジは、捕虫カートリッジを横方向における左右各側に分割する縦方向中心線を有する。タブの第１の側縁部及び第２の側縁部はそれぞれ、捕虫カートリッジの縦方向中心線から、横方向にずれており、かつ、捕虫カートリッジの、横方向における同一の側に位置している。
【００１０】
他の実施形態では、ベース部と共に使用するための捕虫カートリッジは、使用時にベース部内に受容可能な近位端を含む。近位端は、実質的に平らな領域を有する、縦方向に延びたタブを含む。捕虫カートリッジは、近位端の反対側にある遠位端と、虫を受け入れるための細長エンクロージャと、虫を捕獲するための粘着面と、を更に含む。捕虫カートリッジは、縦方向中心線を有し、タブの実質的に平らな領域は、捕虫カートリッジの縦方向中心線と重ならない。
【図面の簡単な説明】
【００１１】
本開示の上述の特徴及び利点並びに他の特徴及び利点、またそれらを実現する方法は、本開示の非限定的実施形態の以下の説明を、添付図面と併せて参照することによって、より明白となり、本開示自体が、より良好に理解されるであろう。
【図１】例示的な捕虫装置の図である。
【図２】図１に図示した捕虫装置の分解図である。
【図３Ａ】図１のカートリッジの分解図である。
【図３Ｂ】インサート挿入後に直線３Ｂ−３Ｂに沿って取られた図３Ａのカートリッジの断面である。
【図４】ベース部に連結されつつある図３Ａのカートリッジの図である。
【図５Ａ】図１のベース部の等角図である。
【図５Ｂ】図５Ａのベース部の部分切欠図である。
【図６Ａ】光源を有するインサートの等角図である。
【図６Ｂ】光源を有するインサートの等角図である。
【図７Ａ】光源及びリザーバを有するインサートの等角図である。
【図７Ｂ】光源及びリザーバを有するインサートの等角図である。
【図８】例示的なフレームレス・インサートの分解図である。
【図９Ａ】別の例示的なカートリッジの等角図である。
【図９Ｂ】別の例示的なカートリッジの等角図である。
【図１０】図９Ａ〜図９Ｂに示したカートリッジの分解図である。
【図１１】図９Ａ〜図９Ｂのカートリッジを用いる例示的な捕虫装置の図である。
【図１２】カートリッジをベース部に連結した後の、シュラウドの幾何中心を通る図１１のカートリッジ及びベース部の横方向断面図である。
【図１３Ａ】光源を有する例示的なカートリッジの等角分解図である。
【図１３Ｂ】光源を有する例示的なカートリッジの等角分解図である。
【図１４】インサートを装填し、次いでベース部に連結することができるシェルを有する例示的なカートリッジの図である。
【図１５】捕虫装置の分解等角図である。
【図１６】垂直軸に沿った図１５の捕虫装置の側断面図である。
【図１７】シェルと関連するベース部の分解正面図であり、ここで、説明の目的のためにシェルの前側ハウジングは示していない。
【図１８】図１７のシェルの背面図である。
【図１９】およそ１ｃｍ間隔で孔を穿孔した後のシェルを示す例示的な捕虫装置の図である。
【図２０】およそ１ｃｍ間隔で孔を穿孔した後、シェルを再取り付けする前の粘着性部分を示す図１９の捕虫装置の図である。
【図２１】抵抗加熱ダイオード（resistive heating diode）及び２つの発光ダイオード（ＬＥＤ）を含む回路基板を備える、加熱された通気ハウジングを有する捕虫装置の斜視図である。
【図２２】図２１に関して記載された回路基板の正面図である。
【図２３】図２１及び図２２の装置から生成された粘着性部分の表面に対するヒートマップの図である。
【図２４】図２１及び図２２の装置から生成された粘着性部分の表面に対する別のヒートマップの図である。
【図２５】図４及び図５に示す装置と類似する装置から生成された粘着性部分の表面に対するヒートマップの図である。
【図２６Ａ】例示的なベース部１００２への例示的なカートリッジの取り付けの図である。
【図２６Ｂ】例示的なベース部１００２への例示的なカートリッジの取り付けの図である。
【図２７】図２６Ａ〜図２６Ｂに示したベース部の等角図である。
【図２８】カートリッジが装着されたベース部によって画定されるチャンバの部分切欠図である。
【図２９Ａ】直線２９Ａ−２９Ａに沿った図２８のベース部及びカートリッジの断面図である。
【図２９Ｂ】カートリッジが除去され、スイッチが開位置にある、図２９Ａのベース部の断面図である。
【図３０】例示的なタブ構成の図である。
【図３１】別の例示的なタブ構成の図である。
【図３２】更に別の例示的なタブ構成の図である。
【図３３】例示的な非対称タブ構成の図である。
【００１２】
特に定義されない限り、本明細書で使用されている全ての技術的用語及び科学的用語は、本発明が属する分野の当業者に共通に理解されるものと同じ意味を有している。本明細書に記載されているものと同様又は同等の方法及び材料を、本発明を実施又は試験するために使用することが可能であるが、好適な方法及び材料を以下に記載する。本明細書で言及される全ての刊行物、特許出願、特許、及び他の参考文献は、参照することによりそれらの全体が本明細書に組み込まれる。不一致である場合、定義を含め本明細書が適用される。加えて、材料、方法、及び例は、単に例示的なものであり、限定を意図したものではない。
【００１３】
本発明の他の特徴及び利点は、以下の詳細な説明及び特許請求の範囲から明らかとなるであろう。
【発明を実施するための形態】
【００１４】
本開示は、捕虫装置、捕虫装置を作製する方法及び捕虫装置を使用する方法を提供する。本明細書に開示される捕虫装置の機能、設計及び使用の原理の総合的な理解を提供するために、ここで、本開示の様々な非限定的実施形態が説明される。これらの非限定的実施形態の１つ又は２つ以上の例を添付の図面に示す。当業者であれば、本明細書で説明され、かつ添付図面に示される方法が非限定的実施形態例であり、本開示の様々な非限定的実施形態の範囲は、特許請求の範囲によってのみ定義されることが理解されるであろう。ある非限定的実施形態に関連して示されるか又は述べられる特徴は、他の非限定的実施形態の特徴と組み合わせることができる。そのような修正及び変形は、本開示の範囲内に含まれるものとする。
【００１５】
ここで図１〜図２を参照すると、非限定的な一実施形態に従った例示的な捕虫装置１００が図示されている。図２は、図１に図示した捕虫装置１００の分解図である。捕虫装置１００は、ベース部１０２と、ユーザによってベース部１０２に選択的に連結可能なカートリッジ１１８と、を有する。カートリッジ１１８は、インサート１５０と、インサート１５０を受容するように構成されたシェル１２２と、を含む。以下により詳細に説明するように、インサート１５０は、粘着性部分１５２の表面１５４に接触する虫を固定する粘着性部分１５２を含むことができる。ベース部１０２は、捕虫装置１００を壁コンセントなどの好適な電源に差し込むことができるように、突起部１１２を含むことができる。他の構成では、捕虫装置１００は、オンボード・バッテリ又は他の種類の電源（すなわち、太陽電池）から電力を取り出すことができる。捕虫装置１００は、熱、光、化学組成物誘引剤などの、装置に虫を引き込むための多様な誘引要素を利用することができ、誘引要素のうちのいくつかは、動作するための電源を必要としてもよい。このように、電源は、電気発熱体１１０、光源１１４及び／又は捕虫装置１００に虫を誘引するために機能してもよい他のコンポーネントなどの、様々なオンボードのコンポーネントに電力供給するために使用されてもよい。電気発熱体１１０について、多種多様な発熱体を利用してもよい。例示的な電気発熱体には、金属発熱体、セラミック発熱体、高分子発熱体、複合発熱体及び／又はそれらの組み合わせが挙げられるが、これらに限定されない。
【００１６】
シェル１２２は、前面１２６を有する前側ハウジング１２４と、後面１３０を有する後側ハウジング１２８と、を有してもよい。前側ハウジング１２４及び後側ハウジング１２８は、一つに連結されてシェル１２２を形成する別個の部品であり得るか、又は、前側ハウジング１２４及び後側ハウジング１２８は、シェル１２２を一体的に形成する単一部品であり得る。前側ハウジング１２４及び後側ハウジング１２８は、インサートがシェル１２２内に着座すると、インサート１５０の粘着性部分１５２を実質的に取り囲むことができる。あるいは、いくつかの構成では、下記のカートリッジ５１８及び６１８によって例示されるように、粘着性部分は、シェル内部に予め配置されてユーザに提供される。
【００１７】
虫が、インサート１５０の粘着性部分１５２の表面１５４に接触することができるように、前面１２６は、飛ぶ虫又は這う虫を受け入れるための１つ又は２つ以上の開口部１３２を画定してもよい。図１〜図２では開口部１３２の例示的な一配置を図示しているが、１つ又は２つ以上の開口部１３２の大きさ、配置及び数が変化し得ることを理解されたい。前側ハウジング１２４は、凸状であり、シェル１２２の底部で後側ハウジング１２８から離間してもよく、それらは底部開口部１３４を共同して画定する（図２）。シェル１２２の底部又はインサート１５０は、シェル１２２又はインサート１５０が、虫を誘引かつ捕集するために消費者によって使用されている間に取るであろうように配向されるときに決定される。底部開口部１３４の両側は、ユーザがシェル１２２内に滑り込ませるときにインサート１５０の適切な位置合わせを補助するように、テーパ状、溝付きとなっているか、又は、他の様式で構成されてもよい。シェル１２２の頂部１２１は、（図１に非限定的例によって示すように）実質的に又は完全に閉じていてもよい。
【００１８】
図３Ａは、シェル１２２に挿入されつつあるインサート１５０を図示し、図３Ｂは、インサート１５０の挿入後の、直線３Ｂ−３Ｂに沿った図３Ａのカートリッジの断面図である。インサート１５０は、粘着性部分１５２が取り付けられているか又はそれ以外の場合には一緒に形成されているフレーム１６６を含むことができる。シェル１２２に挿入されると、粘着性部分１５２は、シェル１２２を前方空洞１８８と後方空洞１７４とに分割する。後方空洞１７４は、粘着性部分１５２の裏面１５６及び後側ハウジング１２８の内面１３１によって画定され、その一方で、前方空洞１８８は、粘着性部分１５２の表面１５４及び前側ハウジングの内面１３３によって画定される。インサート１５０がシェル１２２内に位置付けられると、カートリッジ１１８は、ベース部１０２と係合することができる。図４は、ベース部１０２に連結されつつある図３Ａのカートリッジ１１８を図示する。後方空洞１７４は、開口部を欠く場合があるが、カートリッジ１１８がベース部１０２に連結されるときに周囲環境に対して効果的に封止される底部開口部を除く。後方空洞１７４のこの配置は、捕虫装置１００が使用中のとき、対流に起因する後方空洞１７４から周囲環境への熱損失を制限することができる。比較すると、前方空洞１８８は、虫が前方空洞１８８内に進入可能となる１つ又は２つ以上の開口部１３２を含み、それにより空洞を周囲環境に露出させる。
【００１９】
ここで図１〜図４を参照すると、粘着性部分１５２は、シェル１２２の開口部１３２のうちの１つを通って捕虫装置１００に進入して粘着剤に接触する虫を固定する。いくつかの実施形態では、粘着性部分１５２は、粘着剤（又は粘着剤を含む粘着剤組成物）を含み、粘着剤又は粘着剤組成物は、基材上にコーティングされるか又はそれ以外の場合には塗布されるか又は基材内若しくは基材上に組み込まれる。粘着剤は、感圧性粘着剤であってもよい。いくつかの実施形態では、粘着剤は、例えば、アクリル系ポリマー、ブチルゴム、天然ゴム、ニトリル、シリコーン、スチレンブロックコポリマー、スチレン−エチレン／プロピレン、スチレン−イソプレン−スチレン及び／又はビニルエーテル系粘着剤又はそれらの混合物である。基材は、（紙を含む）フィルム、織布又は不織布などの多種多様な形態で提供されてもよい。いくつかの実施形態では、基材は、ポリカーボネート、ポリエチレンテレフタレート（ＰＥＴ）又はポリプロピレンなどの１種又は２種以上のポリマーを含むフィルムの形態である。基材は、１つ又は２つ以上の層を含んでもよい。一般的に、粘着性部分１５２の厚さは、約０．０１ｍｍ〜約５ｍｍの範囲であってもよい。いくつかの実施形態では、粘着剤の厚さは、約０．０５ｍｍ〜約１．０ｍｍの範囲であってもよい。粘着性部分１５２の表面積は、約２５ｃｍ２〜約１５０ｃｍ２とすることができる。粘着性部分１５２は、透明又は半透明の基材（例えば、フィルムなど）の上にコーティングされた透明又は半透明の粘着剤若しくは粘着剤組成物を含むことができる。剥離式ライナーは、粘着性部分１５２に適用することができ、使用前に粘着性部分１５２を覆うこととなる。ユーザは、例えば、インサート１５０をシェル１２２内に挿入する直前に、粘着性部分１５２の表面１５４を露出させるために、剥離式ライナーを剥離除去することができる。
【００２０】
インサート１５０は、粘着性部分１５２を完全に取り囲むフレーム１６６を含むように示されているが、この開示は、そのように限定されていない。例えば、フレーム１６６は、粘着性部分１５２の周りに部分的にのみ延びていてもよい。例示的な一構成では、フレーム１６６は、粘着性部分１５２の第１の垂直側面に沿って、粘着性部分１５２の頂部を横断し、粘着性部分１５２の第２の垂直側面を下向きに延びていてもよい。そのような構成では、粘着性部分１５２の底部縁部にはフレームがない。他の構成では、インサート１５０は、基材の少なくとも中央部分に適用された粘着性部分１５２を有し、十分な構造剛性を提供する基材を有して、フレームレスとすることができる。更に、粘着性部分１５２は、示すように平らであってもよいし、又は、例えば、湾曲などの他の好適な形態を有することができる。図２、図３Ａ及び図３Ｂに示すように、フレーム１６６の外周縁は、シェル１２２と同様に成形してもよい。
【００２１】
いくつかの構成では、インサート１５０は、虫誘引組成物を格納するためのリザーバ１７６を有する。虫誘引組成物は、気体、液体、固体及びそれらの組み合わせを含む多種多様な形態で提供することができる。いくつかの実施形態では、虫誘引組成物は、虫に対して誘引する１種又は２種以上の剤を含む固体組成物の形態で提供してもよい。固体組成物はまた、１種又は２種以上の液体及び１種又は２種以上のゲル化剤を含む、ゲルなどの半固体組成物を含む。ゲル化剤は、虫誘引組成物内部での架橋ネットワークの形成を容易にしてもよい。リザーバ１７６はまた、粘着性部分１５２に当初は固定されたが、乾燥又は脆化した後に粘着性部分１５２によってもはや十分に保持されない虫などの、落下した虫類を捕捉するために機能してもよい。リザーバ１７６は、前壁１８０（図２）及び後壁１８２によって画定されてもよく、前壁１８０は、リザーバ１７６の開口部の少なくとも一部を画定する。前壁１８０は、フレーム１６６と一体的に形成されてもよい。リザーバ１７６は、約１ｍｍ〜約３０ｍｍの深さ（depth）、約１０ｍｍ〜約１００ｍｍの幅及び約１ｍｍ〜約５０ｍｍの高さを有してもよい。リザーバ１７６は、約１ｃｍ３〜約６０ｃｍ３の容積を有することができる。リザーバ１７６は、インサート１５０がシェル１２２と係合し、シェル１２２がベース部１０２と係合すると、虫誘引組成物が、開口部１３２を通って蒸発又は分散し得るように、位置決めすることができる。リザーバ１７６などの本開示に従ったリザーバは、その後壁１８２を含む１つの部品として作製され、次いで、フレーム１６６に取り付けられてもよい。あるいは、その後壁を含むリザーバは、同一の材料から、射出成形又は熱成形工程などよって、フレームと共に一体的に形成してもよい。粘着性部分１５２は、リザーバ開口部に近接して終端してもよいか、又はリザーバ開口部を通過して下方に延び、リザーバ１７６の後壁１８２を横断してもよい。リザーバ１７６内の虫誘引組成物は、使用中に蒸発する場合があるため、リザーバ１７６が粘着性部分１５２に連結されて、両方の部品を同時に交換できることが有利である。更に、粘着性部分１５２に対するリザーバ１７６の配置のため、リザーバ１７６は、粘着性部分１５２の表面領域が妨害されないようにベース部内に受容することができる。この配置により、虫を捕獲するための粘着性部分１５２の表面積が最大化される。
【００２２】
他の構成では、インサート１５０は、リザーバ１７６を含まなくてもよい。更に他の構成では、インサート１５０は、リザーバ１７６を含まず、粘着性部分１５２は、インサート１５０の表面及び裏面の両方の上に位置付けられる。そのような構成では、粘着性部分１５２の表面１５４が十分な数の虫を固定化すると、ユーザは、インサート１５０をシェル１２２から取り出し、インサート１５０を回転し、インサート１５０をシェル１２２内への再度挿し込んでもよい。この位置では、インサート１５０の裏面は、開口部１３２に近接して位置付けすることができ、シェルに入る虫を固定化するために使用することができる。
【００２３】
図３Ａに示すように、インサート１５０は、ユーザによってシェル１２２に選択的に挿し込まれて、カートリッジ１１８をベース部１０２に取り付けるための準備をしてもよい。いくつかの構成では、インサート１５０がシェル１２２に完全に着座したとき、インサート１５０は、例えば、インターロック機構又は摩擦嵌合などにより、シェル１２２と機械的に係合させられてもよい。インサート及びシェルに関する例示的な構成は、その開示が参照により本明細書に組み込まれる、＿＿＿＿＿＿＿に出願された、同時出願の特許出願＿＿＿＿＿＿＿号、名称「ＩＮＳＥＣＴ  ＴＲＡＰＰＩＮＧ  ＤＥＶＩＣＥ  ＡＮＤ  ＭＥＴＨＯＤＳ  ＴＨＥＲＥＯＦ」に提示されている。カートリッジ１１８はまた、垂下タブ１６４を含む。垂下タブ１６４は、インサート１５０上又はシェル１２２において位置決めすることができる。スイッチ（図示せず）は、カートリッジ１１８がベース部１０２に係合するとき、垂下タブ１６４を受容するベース部１０２上に位置決めされる。ベース部１０２内のスイッチは、１種又は２種以上の虫誘引要素（すなわち、電気発熱体１１０、光源１１４など）を動作させる機能を果たしていてよく、これにより、そのような虫誘引要素は、カートリッジ１１８がベース部１０２に係合されるときにのみ給電され得るようになっている。このように、カートリッジ１１８がベース部１０２から取り外されているとき、スイッチは、非アクティブ状態であり、電源は、虫誘引要素から取り外されている。
【００２４】
垂下タブ１６４は、垂下タブ１６４の垂直中心線がインサート１５０の垂直中心線からずれるように位置決めすることができる。垂下タブ１６４をずらすことにより、カートリッジ１１８をベース部１０２と適切に位置合わせすることを補助するために役立ち得る。より具体的には、垂下タブ１６４がスイッチ内に受容されるようにカートリッジ１１８が適切な方向を向いているときにのみ、カートリッジ１１８は、ベース部１０２内に完全に着座され得る。更に、垂下タブ１６４は、インサート１５０がシェル１２２内に適切に配置されていることを確実にするために役立つことができる。垂下タブ１６４はまた、インサート１５０の挿し込み又は除去中にユーザ用の便利な把持点として機能することもできる。垂下タブ１６４は、任意の好適な構成又は形状を有することができる。いくつかの構成では、垂下タブ１６４は、その垂直中間部の幅が、インサート１５０の底部縁部の幅の７５％未満である。いくつかの構成では、垂下タブ１６４は、その垂直中間部の幅が、インサート１５０の底部縁部の幅の５０％未満である。いくつかの構成では、垂下タブ１６４は、その垂直中間部の幅が、インサート１５０の底部縁部の幅の２５％未満である。いくつかの構成では、垂下タブ１６４は、その垂直中間部の幅が、インサート１５０の底部縁部の幅の１０％未満である。いくつかの構成では、垂下タブ１６４は、インサート１５０の垂直中心線に対して非対称でありながら、インサート１５０の垂直中心線と重なっている。
【００２５】
カートリッジ１１８をベース部１０２に連結して捕虫装置１００を使用する準備をするためには、シュラウド１０８が底部開口部１３４を通って（図２）シェル１２２の後方空洞１７４内に受容され（図３Ｂ）、粘着性部分１５２の裏面と後側ハウジング１２８の内面との間に位置付けられるように、カートリッジ１１８を、シュラウド１０８を覆って下降させる（図４）。シュラウド１０８は、電気発熱体１１０を取り囲む、ベース部２０１から上方に延びる起立部分である。連結時にカートリッジ１１８をベース部１０２に対して相対的に位置決めし、位置合わせすることが、シュラウド１０８によって補助することができるのは、カートリッジ１１８をベース部１０２に対して適切に誘導するためにシュラウド１０８が役立つことができるためである。更に、連結時にシュラウド１０８をシェル１２２内に受容することはまた、垂下タブ１６４のベース部１０２内に位置決めされたスイッチとの適切な位置合わせを確実にするのにも役立つ。ベース部１０２の一部は、シェル１２２内に受容されて、カートリッジ１１８をベース部１０２に機械的に係合させてもよい。そのような係合は、摩擦嵌合接続又は、例えば、クリップ、ラッチ、磁石及び戻り止めを利用するなどの他の適切な種類の接続を利用して、ユーザがカートリッジ１１８及びベース部１０２の連結解除を所望するまで、シェル１２２とベース部１０２との間の連結を維持してもよい。カートリッジ１１８がベース部１０２に取り付けられると、次いで、捕虫装置１００は、虫を誘引して拘束するために動作することができる。
【００２６】
図５Ａは、明確にするためにカートリッジ１１８を除去して示した、ベース部１０２の等角図を図示し、図５Ｂは、電気発熱体１１０をより詳細に説明するためにベース部１０２の部分切欠図を図示する。図１〜図５Ｂを参照すると、カートリッジ１１８がベース部１０２に係合されているとき、シュラウド１０８は、底部開口部１３４を通ってシェル１２２の後方空洞１７４内に延び、後側ハウジング１２８とインサート１５０との間に位置する。図示した構成では、電気発熱体１１０は、シュラウド１０８内に位置付けられる。シュラウド１０８は、電気発熱体１１０を保護し、動作中に電気発熱体１１０が生成した熱を放熱しやすくする。本明細書において使用するとき、電気発熱体１１０は、加熱の目的のために電気を熱に変換する装置を指す。このように、電気発熱体１１０に関連付けられていてもよい配線、制御回路、コネクタ、マウントなどは、電気発熱体１１０の部品ではない。電気発熱体１１０は、例えば、１つ又は２つ以上の加熱可能な表面を有する正温度係数（ＰＴＣ）ヒータ、抵抗型ヒータ又は電気エネルギーを熱エネルギーに変換する任意の他の種類の素子であってもよい。更に、電気発熱体１１０の温度は、自動調節を通して制御されてもよいか、又はサーモスタットなどの種々の温度制御回路を利用してもよい。ここで理解されるように、本開示は、任意の特定の種類の電気発熱体１１０又は制御回路に限定されない。しかし、電気発熱体１１０としてＰＴＣサーミスタを使用して、他の加熱技術によって提供されるよりも複雑ではなく、低価格のシュラウド１０８を加熱する手段が提供され得る。例えば、サーモスタットを必要とする電気発熱体は、製造工程をより複雑にする結果をもたらす恐れがある、追加のコンポーネント及びベース部１０２内のフィードバック回路の配置を必要とする場合がある。
【００２７】
好適な電源（電池、壁コンセントなど）により通電されると、電気発熱体１１０は、シュラウド１０８を加熱する。次いで、シュラウド１０８は、シュラウド１０８の前面１０４に近接して配置されたインサート１５０の近接した粘着性部分１５２の裏面に対して、最初に熱を放射する。粘着性部分１５２の裏面が加熱されるにつれて、次いで、粘着性部分１５２の反対側の表面１５４が加熱される。したがって、捕虫装置１００の熱経路は、電気発熱体１１０から、シュラウド１０８へ、（対流加熱及び／又は放射加熱を介して）粘着性部分１５２の後面へと向かい、これにより、粘着性部分１５２の表面１５４が温まる。粘着性部分１５２を加温することにより、特定の種類の虫を捕虫装置１００に誘引することを補助してもよい。例えば、加熱された粘着性部分１５２は、生体表面（すなわち皮膚）の熱シグネチャを模倣してもよく、したがって、カ、ノミ、ダニなどの皮膚に引き寄せられる虫を誘引してもよい。そのような虫は、加熱された粘着性部分１５２に引き寄せられ、粘着性部分１５２の表面１５４に接触することとなり、それにより、捕獲されることとなる。
【００２８】
図示した構成では、光源１１４は、別の虫誘引要素として機能し、ベース部１０２内に位置付けられている。利用される光源１１４の波長及び種類は、特定の種類の光に引き寄せられる虫を誘引するように選択することができる。光源１１４は、固体照明の形態である発光ダイオード（ＬＥＤ）１１６として示されている。一実施形態では、光源１１４は、３つのＬＥＤ１１６である。ＬＥＤ１１６は、スルーホール技術などの任意の好適な取付技術を使用してもよい。いくつかの構成では、ＬＥＤ１１６のうちの１つ又は２つ以上は、ＬＥＤ１１６が、表面実装デバイス（ＳＭＤ）であるように、表面実装技術（ＳＭＴ）を利用する。ＬＥＤ１１６のそれぞれは、直径が約０．５ｍｍ〜約１０ｍｍであってもよい。更に、ＬＥＤのそれぞれは、表面積が約０．５ｍｍ２〜約１００ｍｍ２であってもよい。ＬＥＤのいくつかの例には、半導体発光ダイオード、ポリマー発光ダイオード、有機発光ダイオードなどが挙げられる。使用してもよい他の光源には、白熱灯若しくはフィラメント系灯、蛍光灯、ハロゲン灯、キセノン灯又は当該技術分野で既知の他の光源が挙げられるが、これらに限定されない。光源は、その出力の波長を調整するためにフィルタを有してもよいか又は有さなくてもよい。更に、本明細書で使用するとき、光源１１４は、虫誘引要素として利用される照明技術の光発生部品又は素子である。この点に関して、光源１１４は、ダイオード、フィラメント、励起ガスなどのうちのいずれであってもよい。光源１１４は、光発生部品又は素子に関連付けられてもよい配線、コネクタ、ベース部、レンズ又は素子を含まない。光源１１４は、起立した熱シュラウド１０８の外部に位置付けられている。光源１１４は、シュラウド１０８の表面の前方、下方、側方（beside）にあるか又は表面上に実装されてもよい。この位置付けにより、シュラウド１０８の前面１０４によって光を粘着性部分１５２に向かってより効果的に偏向させることが可能であってもよい。それはまた、シュラウド１０８の前面１０４によって、より均一な放射加熱をもたらしてもよい。そのような外部配置部の例は、図２の光源１１４におけるＬＥＤ１１６、図６Ａのインサート２５０上のＬＥＤ２１６及び図１２のＬＥＤ５１６として図示されている。光源１１４は、カートリッジ１１８がベース部１０２に係合するとき、光源１１４がシュラウド１０８とインサート１５０の間に位置付けられるように位置付けられる。このように、光源１１４が通電されているとき、粘着性部分１５２の裏面１５６を直接かつシュラウド１０８に反射する光により間接的に照らす。この構成は、ＬＥＤ１１６と粘着性部分１５２との間の有利に遮蔽されない光路を更に可能とし、光及び熱の両方が互いに干渉することなく虫誘引要素として提供されることを可能にする。いくつかの実施形態では、光源１１４は、シュラウド１０８から放射する熱又はシュラウド１０８から粘着性部分１５２の裏面１５６に向かう光の反射のいずれかと干渉しないように、シュラウド１０８のベース部に又はベース部の近くに配置される。図示の構成はまた、光源１１４からの光の効果的な順方向伝搬を提供することができる。より具体的には、粘着性部分１５２とシュラウド１０８との間のＬＥＤ１１６の相対的な位置付けは、シュラウド１０８に近接した状態であっても、粘着性部分１５２を通した光の前方への偏向量を増加させる。この構成はまた、シュラウド１０８と粘着性部分１５２との間にエアギャップをもたらし、それ以外の場合には単一点ヒータを使用するときに存在するであろう粘着性部分１５２上のホットスポットを緩和することに役立つ。図５Ａに示すような単一点発熱体１１０を使用すると、より単純かつより安価である一方で、多点発熱体よりも高温で動作することが必要となる場合がある、かつ／又は熱の放射／放散に起因してシュラウドの中央部分がシュラウド１０８の縁部よりも高温となる。シェル１２２の後方空洞１７４の内側に生み出された空気塊は、いくつかの実施形態ではシュラウド１０８をその前面及び後面の周りで包み込んでおり、粘着性部分１５２の加熱面の熱安定性及び均一性を更に向上させてもよい。この構成では、光路は、光源１１４から、直接かつ／又はシュラウド１０８から反射されてのいずれかで粘着性部分１５２の裏面に向かう。次いで、光は、粘着性部分１５２の裏面を通って進み、粘着性部分１５２の表面１５６から出る。照らされ、かつ加熱された粘着性部分１５２に引き寄せられた虫は、前方空洞１８８内に配置され、開口部１３２に対向する粘着性部分の表面１５６によって捕獲されることとなる。
【００２９】
シュラウド１０８は、カートリッジ１１８の粘着性部分１５２の後面に面する前面１０４を有することができる。前面１０４は、カートリッジ１１８がベース部１０２に係合するとき、空洞がシュラウド１０８の中心部分と粘着性部分１５２との間に形成されるように、凹面状であってよい。シュラウド１０８の前面１０４は、滑らかな凹面として図示されているが、この開示は、そのように限定されない。前面１０４は、凹形状を形成する表面の任意の好適な構成又は組み合わせを有することができ、その凹形状では、前面１０４の中央部分が前面１０４の側方部分に対してくぼんでおり、それにより内側に向かう隆起部を形成する。前面１０４の例示的な構成には、平らな部分、傾斜部分、湾曲部分、曲線部分などが含まれ得る。また、前面１０４は、（図示のように）連続的であってもよいし、又は、前面が隙間又は他の種類の分離を有するように、不連続であってもよい。いくつかの配置では、シュラウド１０８及びその前面１０４は、直接接触して、又は離間してのいずれかで、互いに近位に位置付けられた２つ以上のシュラウドによって、集合的に形成することができる。そのような複数シュラウド配置は、それぞれのシュラウドが別個に加熱されてもよいため、必ずしも単一点発熱体を使用しなくてもよい。光源１１４は、カートリッジ１１８がベース部１０２に係合したとき、シュラウド１０８の前面１０４と粘着性部分１５２の後面との間に形成される空洞内でベース部１０２に位置付けられてもよい。このように、粘着性部分１５２を照明することに加えて、光源１１４はまた、シュラウド１０８の前面１０４も照らす。前面１０４と光源１１４との相対的位置付けにより、前面１０４は、光源１１４からの光の少なくとも一部を粘着性部分１５２の裏面１５６上に反射させる反射体として機能することができる。図５Ａに示すように、例えば、光源１１４は、シュラウド１０８の底部でベース部１０２内に位置付けられている。更に、光源１１４は、シュラウド１０８の前面１０４よりも下方に位置付けられるとともに、前面１０４の前方に位置付けられているように示されている。様々な構成によれば、前面１０４の少なくとも一部は、光拡散、散乱及び／又は反射を助けるように粗面化されてもよい。いくつかの構成では、前面１０４の粗面化部分は、ＳＰＩ  Ａ−１程度〜ＳＰＩ  Ｄ−３程度の表面粗さ（Ｒａ）を有する。更に、粗面化部分は、シュラウド１０８の前面１０４の表面積の約７０％〜約１００％の表面積を有してもよい。
【００３０】
回路基板１０６（図５Ａ）は、電気発熱体１１０及び光源１１４を動作させるための回路を含むベース部１０２内に位置付けることができる。回路基板を、リザーバ１７６の後方に位置付けることができるように、回路基板１０６は、ベース部１０２内に垂直に取り付けられてもよい。回路基板１０６をリザーバ１７６の後方に位置付けることで、虫誘引組成物が回路と接触する可能性は、最小化される。図５Ａ〜図５Ｂに示すように、ベース部１０２はまた、シェル１２２がベース部１０２に連結されたとき、リザーバ１７６の少なくとも一部を受容するように寸法決めされた空洞１２０を画定してもよい。
【００３１】
捕虫装置１００を動作中に前方側（すなわち、図１２の突起部１１２の反対側）から観察するとき、粘着性部分１５２の表面１５４は、開口部１３２を通して少なくとも部分的に視認可能であってもよい。光源１１４は、粘着性部分１５２の後方に位置付けされているため、光源１１４が作動しているとき、粘着性部分１５２は、その裏面から照明される。電気発熱体１１０を収容するシュラウド１０８は、粘着性部分１５２及び光源１１４の両方の後方に位置付けられ、照らされた粘着性部分１５２を所望の温度範囲内に加熱するように機能する。発熱体１１０を粘着性部分１５２の後方に位置付けると、シェル１２２の前側ハウジング１２４の開口部１３２を通って前側エンクロージャに進入した虫、特にカから、相対的に高温の（５０℃以上に加熱され得る）発熱体１１０を隠すという付加的な利点が更にもたらされる。より詳細に後述するように、凹面状の前面１０４並びにシュラウド１０８内での電気発熱体１１０の相対的配置及び構成に部分的に起因して、粘着性部分１５２の全表面領域は、概ね均一に加熱されて、ホットスポットを回避しながら生体組織を模倣することに役立つことができ、捕虫装置１００の有効性を向上させる。
【００３２】
ここで図５Ｂを参照すると、ベース部１０２の部分切欠図は、シュラウド１０８の例示的な内部配置を図示する。電気発熱体１１０は、金属板１５８に熱的に接触している１つ又は２つ以上のＰＴＣ発熱体１６０を含む。説明の目的のために、１つのＰＴＣ発熱体１６０のみを図５Ｂに示す。例示的なＰＴＣ発熱体は、ＳｈｅｎＺｈｅｎ  Ｊｉｎｋｅ  Ｓｐｅｃｉａｌ  Ｍａｔｅｒｉａｌｓ  Ｃｏ．，Ｌｔｄ．により製造されたＰＴＣ発熱体モデル番号１５−６−．３のようなスイッチ型ＰＴＣサーミスタである。ＰＴＣ発熱体１６０の平らな前面１６１は、ＰＴＣ発熱体１６０が作動しているときに加熱され、金属板１５８と接触している。このように、ＰＴＣ発熱体１６０により発生する熱は、金属板１５８の表面領域にわたって伝導して広がる。金属板１５８は、約０．２５ｍｍ〜約１．５ｍｍの厚さを有することができ、アルミニウム又は他の熱伝導材料から作製することができる。金属板１５８は、前面１０４と全般的に同じ大きさであるように寸法設定することができる。いくつかの構成では、金属板１５８は、幅が５ｃｍより大きく、表面積が約２３ｃｍ２〜約１４８ｃｍ２である。金属板１５８の幅は、消費者による使用中に虫を誘引かつ捕獲するであろうように金属板１５８を配向させるときに決定される。
【００３３】
更に、金属板１５８は、前面１０４の凹面状の幾何学形状に全般的に従うように構造化することができる。例示した構成では、例えば、金属板１５８は、平らな翼１５８Ｂが両側に位置付けられた平らな中央区分１５８Ａを含み、翼１５８Ｂは、中央区分１５８Ａに対して角度が付けられている。他の構成では、金属板１５８は、湾曲しているか、又は平らな区分及び湾曲区分を含む。ＰＴＣ発熱体１６０は、金属板１５８に（クリップ、粘着剤などの任意の好適な技術を用いて中央区分１５８Ａなどに）連結することができるいずれにしても、金属板１５８は、ＰＴＣ発熱体１６０によって生成された熱の分配に役立ち、これにより、シュラウド１０８が加熱され得る。
【００３４】
ＰＴＣ発熱体１６０に近接していることにより、金属板１５８の中央領域は、金属板１５８の周辺領域よりも高温となる。このように、金属板１５８の中央領域に近接するシュラウド１０８の前面１０４の一部は、金属板１５８の周辺領域に近接するシュラウド１０８の前面１０４の一部よりも高温であってもよい。しかし、前面１０４の凹面状の構成により、金属板１５８の周辺領域に近接する前面１０４の一部は、粘着性部分１５２に、より近く位置付けられ、金属板１５８の周辺領域に近接する前面１０４の一部は、粘着性部分１５２からより離れるように離間されている。そのような構成は、粘着性部分１５２の全表面積を全般的に均一に加熱することに役立つ。例示的な捕虫装置の粘着性部分と前面との間の相対的な間隔に関する付加的な詳細は、図１２に関して以下でより詳細に説明される。
【００３５】
捕虫装置１００の動作中、電気発熱体１１０が起動されると、シュラウド１０８の前面１０４は、１時間未満で定常状態平均温度に達してもよい。シュラウド１０８の前面１０４の定常状態平均温度は、約２３℃の周囲温度で約４０℃〜約５０℃であってもよい。更に、前面１０４は、約２３℃の周囲温度で定常状態平均温度の±６、８、１０又は１２℃以内の最小定常状態温度及び最大定常状態温度を有してもよい。前面１０４の最小定常状態温度と最大定常状態温度との間の絶対差は、約１０、１２、１４、１６、１８、２０又は２２℃であり得る。粘着性部分１５２は、約２３℃の周囲温度で約３２℃〜約３８℃の定常状態平均温度を有してもよい。（中国又はブラジルなどの国においてより高温の日について代用とすることができる）約３０℃の周囲温度で、粘着性部分１５２は、約３５℃〜約４０．５℃の定常状態平均温度を有してもよい。粘着性部分１５２の直接熱最小定常状態温度及び直接熱最大定常状態温度は、定常状態平均温度の±１．５℃以内であってもよいか、又は粘着性部分１５２の直接熱最小定常状態温度及び直接熱最大定常状態温度は、定常状態平均温度の約±１．５℃〜約±３．５℃の範囲であってもよいか、又は粘着性部分１５２の直接熱最小定常状態温度及び直接熱最大定常状態温度は、定常状態平均温度の約±２．５℃〜約±３．５℃の範囲であってもよい。直接熱最小定常状態温度と直接熱最大定常状態温度との間の絶対差は、約２．５℃未満、５℃未満又は７．５℃未満とすることができる。これらの温度は、シュラウドの真正面にある（directly in front of）粘着性部分のその部分の最小温度及び最大温度である。いくつかの実施形態では、粘着性部分の表面積の５０、６０％、７０％、８０％又は９０％超は、直接熱最小温度と直接熱最大温度との間に収まる温度に加熱される。加熱される粘着性部分全体の最小定常状態温度及び最大定常状態温度は、シュラウドの真正面であるかどうかにかかわらず、定常状態平均温度の±５℃以内であってもよい。ＰＴＣ発熱体１６０の前面１６１の設定点温度（Ｔｓ）は、約５０℃〜約７０℃であってもよい。表面温度試験方法は、以下に示す。
【００３６】
シュラウド１０８をベース部１０２の部品として設けることは、装置のカートリッジ１１８と共にシュラウド１０８を廃棄することが望ましくない場合があるため、有益である。その代わりに、カートリッジ１１８の部品（又はカートリッジ全体）は、必要に応じて、シュラウド１０８をベース部１０２に残した状態のままで交換することができる。また、捕虫装置１００の動作中にシュラウド１０８をカートリッジ１１８で取り囲むことによって、カートリッジ１１８は、シュラウド１０８を閉じ込める役割を果たし、これにより、シュラウドが一般的により迅速に、より均一に暖まり得るとともに、大気の擾乱及び乱流からの影響を受けにくくなる。シュラウド１０８が閉じ込められていない場合、粘着性部分１５２を所望の温度まで加熱するために、より高温での動作が必要となるであろうし、したがって、捕虫装置１００において、粘着性部分１５２の表面温度のばらつきが、より大きくなりやすくなる。更に、シュラウド１０８は、後方空洞１７４内部に位置付けられ、シェル１２２の前方空洞１８８に進入した虫が容易には到達できないため、ホットスポット及び／又は５０℃を超える温度は、カなどの虫に対して容易に視認されないこととなる。また、シュラウド１０８の前面１０４の表面積は、粘着性部分１５２の表面１５４の表面積と実質的に同様であってもよいため、粘着性部分１５２の裏面１５６を所望の温度範囲に均一に加熱することがより容易である。いくつかの実施形態では、シュラウド１０８の前面１０４は、粘着性部分１５２の裏面１５６の表面積の５０％、６０％、７０％、８０％、９０％、又はそれ以上の表面積を有する。
【００３７】
シュラウド１０８に対する粘着性部分１５２の相対配置に起因して、カートリッジ１１８の構成はまた、虫を誘引する恐れがあり、次いで、虫が装置の捕獲用粘着面（すなわち、粘着性部分１５２）からあいにく離れてしまうであろう、粘着剤のない加熱表面の量を有益に最小化することに役立つ。最後に、シェル１２２は、虫を遠ざける恐れがある、捕虫装置１００の高温部分を、虫が検知することを防ぎ得る。
【００３８】
ここで代替的なインサート構成を見ると、図６Ａ〜図６Ｂ及び図７Ａ〜図７Ｂは、それぞれオンボードの光源を含む例示的なインサート２５０及び３５０を図示する。そのようなインセット２５０、３５０は、光源を有さない捕虫装置のベース部と共に使用してもよい。図６Ａ〜図６Ｂは、リザーバを含まない例示的なインサート２５０の等角図を示す。本明細書に記載されたインサート１５０と同様に、インサート２５０は、フレーム２６６によって囲まれ、虫を捕獲するための表面２５４を有する粘着性部分２５２を有する。インサート２５０はまた、１組のＬＥＤ  ２１６を含むように示されている光源２１４を有する。ＬＥＤ  ２１６は、関連付けられた捕虫装置の動作中、（装置の観察者に対して）粘着性部分２５２の後方にあるように位置付けられ、粘着性部分２５２の裏面２５６は、ＬＥＤ  ２１６が起動すると照らされる。インサート２５０は、関連付けられたベース部のシュラウドの前面の形状に酷似してもよい前縁部２１７を有する棚状部２１５を有する。インサート２５０はまた、インサート２５０の下方部分から延びる垂下タブ２６４を有する。垂下タブ２６４の垂直中心線は、インサート２５０の垂直中心線からずれており、対応するベース部のスイッチ内に受容されるように位置付けられる。垂下タブ２６４はまた、捕虫装置のベース部内の対応する接点と電気的に接触するように位置決めされた電気接点２１７を有する。ベース部と電気的に接触すると、電力を、電気接点２１７及び回路２１９を介して供給することができ、インサート２５０に搭載されてもよい光源２１４が点灯され、かつ／又は他の誘引要素が照らされる。
【００３９】
図７Ａ〜図７Ｂは、インサート３５０がリザーバ３７６を含んでいることを除いてインサート２５０と類似している、インサート３５０の等角図を示す。インサート２５０と同様に、インサート３５０は、フレーム３６６に囲まれ、その上に虫を捕獲するための表面５５４を有する粘着性部分３５２を有する。インサート３５０はまた、１組のＬＥＤ  ３１６として示された光源３１４を有する。インサート３５０をシェル内に滑り込ませた後、ＬＥＤ  ３１６が、（装置の観察者に対して）粘着性部分３５２の後方に位置し、その裏面３５６を照らすように、ＬＥＤ  ３１６は、インサート３５０の、リザーバ３７６とは反対側に位置付けられている。インサート３５０は、関連付けられたベース部のシュラウドの前面の形状に酷似してもよい前縁部３１７を有する棚状部３１５を有する。インサート３５０はまた、図６Ａ〜図６Ｂで上述した配置と同様に、電気接点３１７を有するインサート３５０の下方部分から延びる垂下タブ３６４を有する。ベース部と電気的に接触すると、電力を、電気契約３１７及び回路３１９を介して供給することができ、インサート３５０に搭載されてもよい光源３１４が点灯され、かつ／又は他の誘引要素が照らされる。
【００４０】
上述したインサートは、フレーム構造を利用しているが、この開示は、そのように制限されない。図８は、フレームレス構成を有するインサート４５０の分解図を図示する。示すように、粘着性部分４５２は、実質的に固体のベース部材４６８に取り付けられている。ベース部材４６８は、例えば、半硬質板紙又は他の好適な材料であり得る。そうであっても、固体ベース部材４６８は、粘着性部分４５２が上述した温度パラメータに従って加熱されるようにすることができる。ベース部材４６８は、ユーザに把持点を提供するように機能し、また捕虫装置内のスイッチを作動させるために使用することもできる垂下タブ４６４を含むことができる。図８は、垂下タブ４６４の垂直中心線がベース部材４６８の垂直中心線と概ね位置合わせされていることを示しているが、他の構成では、垂下タブ４６４の垂直中心線は、ベース部材４６８の垂直中心線からずらされている。更に、図８は、粘着性部分４５２がベース部材４６８の第１の側に位置付けられていることを図示しているが、この開示は、そのように制限されない。いくつかの構成では、例えば、第２の粘着性部分が、ベース部材４６８の第２の側に取り付けられている。（両面インサートと称する場合がある）そのような構成は、インサート４５０がシェルから除去され、ユーザによって裏返しにされ、次いで将来の使用のためにシェルに再挿し込みされることを可能にしてもよい。また、図８には、使用前に粘着性部分４５２を覆って保護するためにベース部材４６８に貼り付けることができる剥離式ライナー４８６が示されている。本明細書に記載された他のインサートと同様に、インサート４５０が、粘着性部分４５２を覆う剥離式ライナー４８６と共にパッケージ化されて出荷されるように、剥離式ライナー４８６は、製造中にインサート４５０（及び／又はインサートのリザーバ）に追加することができる。インサート４５０を捕虫装置のシェル内に挿し込む直前に、ユーザは、剥離式ライナー４８６を除去して廃棄し、粘着性部分４５２を露出させてインサート４５０を使用する準備をすることができる。図示した構成では、剥離式ライナー４８６は、ユーザ用の把持点を提供するためにベース部材４６８から分離されたタブ４６５を含む。
【００４１】
ここで代替的なカートリッジ構成を見ると、図９Ａ〜図１３Ｂは、カートリッジの内部に取り外し不能に位置付けられた粘着性部分を有する例示的なカートリッジ５１８及び６１８を図示する。このように、カートリッジは、捕虫装置のベース部に取り付けてもよく、そして使用後、ユーザによってカートリッジ全体が除去されて廃棄されてもよい。次いで、未使用のカートリッジは、ベース部に取り付けてもよく、捕虫装置の動作は、再開することができる。図９Ａ〜図９Ｂは、図１１に図示されたベース部と共に使用されてもよい例示的なカートリッジ５１８を等角図で図示する。図１０は、カートリッジ５１８の分解図を図示して、粘着性部分５５２及びリザーバ５７６の例示的な一構成を説明する。リザーバ５７６は、インサート１５０に関して上述したリザーバ１７６と同様であり得る。しかし、いくつかの構成は、リザーバ５７６を含まないことに留意されたい。カートリッジ５１８は、カートリッジ１１８と多くの点で類似しているか又は同一であり得る。例えば、カートリッジ５１８の前側ハウジング５２４は、飛ぶ虫又は這う虫を受け入れるための１つ又は２つ以上の開口部５３２を画定することができ、これにより、虫が、粘着性部分５５２の前面５５４に接触することとなるようになっている。しかし、カートリッジ５１８の粘着性部分５５２は、前側ハウジング５２４と後側ハウジング５２８との間に取り外し不能に位置付けられ、図１２に示すように、カートリッジの内部を前方空洞５８８及び後方空洞５７４に分割する。前側ハウジング５２４及び後側ハウジング５２８及び／又は粘着性部分５５２は、超音波溶接、接着剤、機械的ファスナーなどの任意の好適な技術を用いて連結することができる。あるいは、前側ハウジング５２４及び後側ハウジング５２８は、例えば、射出成形により形成された一体的構造であり得る。図９Ｂに示すように、後側ハウジング５２８は、凸状であって、カートリッジ５１８の底部で粘着性部分５５２の裏面５５６から離間していてもよく、これにより、これらが集合的に底部開口部５３４を画定するようになっていてもよい。カートリッジ５１８は、ベース部５０２のスイッチと係合する垂下タブ５６４を更に含むことができる（図１１）。
【００４２】
図１１は、ベース部５０２に連結される際のカートリッジ５１８を例示する。図１２は、カートリッジ５１８のベース部５０２への連結後の、シュラウド５０８の幾何中心を通る、カートリッジ５１８（図１１）及びベース部５０２の横方向断面図である。ベース部５０２は、ベース部１０２と多くの点で類似しているか又は同一であり得る。例えば、ベース部５０２は、金属板５５８に近接して位置付けられた前面５０４を有するシュラウド５０８を含むことができる。ＰＴＣ発熱体５６０の平らな前面５６１は、ＰＴＣ発熱体５６０が作動しているとき、金属板５５８が加熱されるように、金属板５５８に連結することができる。この構成では、ＰＴＣ発熱体５６０は、クリップ５１１を介して金属板５５８に保持されている。
【００４３】
図１１〜図１２に示すように、シュラウド５０８は、カートリッジ５１８の底部開口部５３４を通ってカートリッジ５１８の後方空洞５７４内に受容することができ、後方空洞５７４は、粘着性部分５５２の裏面５５６及び後側ハウジング５２８の内面５３１によって画定されている。前方空洞５８８は、粘着性部分５５２の表面５５４と前側ハウジング５２４の内側面５３３との間に画定されている。カートリッジ５１８を完全に着座させると、粘着性部分５５２は、シュラウド５０８の前面５０４に近接して位置付けられることとなる。内部空洞５６２は、粘着性部分５５２の裏面５５６とシュラウド５０８の前面５０４との間に画定されている。内部空洞５６２は、後方空洞５７４の部分である。後方空洞５７４、前方空洞５８８及び内部空洞５６２は、動作中にＰＴＣ発熱体５６０によって生成される熱により加温することができるが、後方空洞５７４は、前方空洞５８８よりも一般的に高温になる。ＬＥＤ  ５１６は、内部空洞５６２内に位置付けられ、作動されたとき、ＬＥＤが、粘着性部分５５２の後面５５６及びシュラウド５０８の前面５０４を照らすようになっている。上述した前面１０４と同様に、シュラウド５０８の前面５０４は、内部空洞５６２内での配光に役立つように、粗面化部分を含んでいてもよい。動作中、虫は、前側ハウジング５２４の開口部５３２を通って前方空洞５８８に進入する。
【００４４】
いくつかの構成では、シュラウド５０８が占める任意の容積を含む後方空洞５７４の全内部容積は、約７５ｃｍ３〜約１５０ｃｍ３である。シュラウド５０８の容積は、約２５ｃｍ３〜１００ｃｍ３であってもよい。後方空洞５７４の全内部容積からシュラウド５０８の容積を引いたエアギャップ容積は、約３７ｃｍ３〜１２０ｃｍ３であってもよい。いくつかの構成では、エアギャップ容積は、後方空洞５７４の全内部容積の約２０％〜約８０％である。いくつかの構成では、エアギャップは、後方空洞５７４の全内部容積の６５％であり、シュラウド５０８の容積は、３５％である。上述したように、エアギャップは、粘着性部分５５２の加熱面の熱安定性を向上させるために機能することができる。
【００４５】
図示の構成では、シュラウド５０８の前面５０４の凹面状の形状及び平らな粘着性部分５５２により、粘着性部分５５２の裏面５５６とシュラウド５０８の中央におけるシュラウド５０８の前面５０４との間に、間隔（Ｇ１）が画定されている。粘着性部分５５２の裏面５５６とシュラウド５０８の側縁部における前面５０４との間には、間隔（Ｇ２）が画定されている。間隔（Ｇ１）の長さは、間隔（Ｇ２）の長さよりも大きい。間隔（Ｇ１）は、約４ｍｍ〜約１２ｍｍとすることができ、間隔（Ｇ２）は、約０．５ｍｍ〜約３ｍｍとすることができる。示すように、間隔（Ｇ１）に近接するシュラウド５０８の部分は、間隔（Ｇ２）に近接するシュラウド５０８の部分よりもＰＴＣ発熱体５６０の近くに位置付けられている。このように、間隔（Ｇ１）に近接するシュラウド５０８の部分は、間隔（Ｇ２）に近接するシュラウド５０８の部分よりも高い温度に一般的に加熱されることとなる。しかし、粘着性部分５５２は、間隔（Ｇ１）に近接するシュラウド５０８の前面５０４から更に遠くに離間されている。粘着性部分５５２は、間隔（Ｇ２）に近接するシュラウド５０８の前面５０４に、より近くに離間されている。シュラウド５０８の縁部で粘着性部分５５２とシュラウド５０８との間の距離を減少させ、シュラウド５０８の中央で粘着性部分５５２とシュラウド５０８との間の距離を増大させることは、一般的に、前面５０４の中央部分とシュラウド５０８の縁部との間の温度勾配の主要因となり得る。したがって、粘着性部分５５２は、その全表面積にわたって均一に加熱されてもよい。いずれかの理論に束縛されるものではないが、粘着性部分５５２を一様に加熱することが生体組織をより忠実に模倣すると考えられることから、粘着性部分５５２を均一に加熱すること（すなわち、局所的なホットスポットを回避すること）は、捕虫装置の有効性を増加させると考えられる。
【００４６】
ここで図１３Ａ〜図１３Ｂを参照すると、別の例示的なカートリッジ６１８の分解等角図が示されている。カートリッジ６１８は、カートリッジ５１８と多くの点で類似しているか又は同一であり得る。例えば、カートリッジ６１８は、飛ぶ虫又は這う虫を受け入れるための１つ又は２つ以上の開口部６３２を画定する前側ハウジング６２４を有する。粘着性部分６５２は、前側ハウジングと後側ハウジング６２８との間に取り外し不能に取り付けられる。カートリッジ６１８は、関連付けられたベース部のスイッチに係合するための垂下タブ６６４を更に含むことができる。インサート２５０及び３５０と同様に、カートリッジ６１８は、１組のＬＥＤ  ６１６を含むように示される光源６１４を含む。ＬＥＤ  ６１６は、関連付けられた捕虫装置の動作中にＬＥＤが粘着性部分６５２の後方にあるように位置付けられている。垂下タブ６６４の垂直中心線は、カートリッジ６１８の垂直中心線からずらされ、対応するベース部のスイッチ内に受容されるように位置付けられている。垂下タブ６６４はまた、捕虫装置のベース部内の対応する接点と電気的に接触するように位置付けられた電気接点６１７を有する。例示的な垂下タップに関する更なる詳細は、図２６Ａ〜３３に関連して、後述する。ベース部と電気的に接触すると、電力を、電気接点６１７及び回路６１９を介して供給することができ、カートリッジ６１８に搭載されてもよい光源６１４が点灯され、かつ／又は他の誘引要素が照らされる。カートリッジ６１８は、図１１のベース部５０２と同様のベース部に連結することができ、これにより、シュラウド５０８に類似するシュラウドが、カートリッジ６１８の底部開口部６３４を通して受容され得るようになっている。次いで、粘着性部分６５２は、上記の技術に従って加温することができ、ＬＥＤ  ６１６は、粘着性部分６５２の後面を照らすことができる。
【００４７】
ここで図１４〜図１８を参照すると、カートリッジ及びベース部の、更なる例示的な構成が示されている。これらの構成では、カートリッジのシェルは、電気発熱体及び／又は光源を取り外し不能に収容することができる。上述された構成と同様に、インサートは、インサートの粘着性部分が、発熱体によって加熱され、光源によって照らされ得るように、少なくとも部分的にシェル内にて、取り外し可能に保持され得る。図１４は、インサート７５２を搭載することができるシェル７２２（図１５）を有する、例示的なカートリッジ７１８を図示する。インサートがシェル７２２内に着座すると、次いで、カートリッジ７１８は、以下により詳細に説明するように、ベース部７０２に連結することができる。シュラウド７０８は、シェル７２２と共に配置され、上述した構成と同様に、１つ又は２つ以上の電気発熱体が、シュラウド７０８の凹面状前面７０４の後方に位置付けられていてよい。シェルはまた、図示の実施形態では前面７０４のベース部に近接して位置付けられた３つのＬＥＤ  ７１６を含む光源７１４を含む。前面７０４の少なくとも一部は、光源７１４によって生成された光の光拡散、散乱及び／又は反射を助けるように、粗面化されていてもよい。
【００４８】
カートリッジ７１８は、ベース部７０２の対応する電気接点７４２Ａ〜Ｄと係合するように位置付けられている電気接点７４０Ａ〜Ｄを有することができる。いくつかの構成では、カートリッジの電気接点７４０Ａ〜Ｄは、ピンであり、ベース部７０２の電気接点７４２Ａ〜Ｄは、ソケットであるが、他の構成を用いてもよい。電気接点の総数は、電気発熱体、光源などの必要に基づいて変化することができるが、図示のカートリッジ７１８では、電気接点７４０Ｂ及び７４０Ｃは、光源７１４用の回路と関連付けられ、電気接点７４０Ａ及び７４０Ｄは、電気発熱体用の回路に関連付けられている。この配置により、ベース部１０２によって電気接点７４０Ｂ及び７４０Ｃに供給されることとなる電圧／電流レベルは、電気発熱体の電気契約７４０Ａ及び７４０Ｄに供給される電圧／電流レベルと比較して異なることができる。
【００４９】
図１５は、捕虫装置７００の等角分解図である。例示的なインサート７５０が、図１４のカートリッジ７１８に挿し込まれるところが図示されており、カートリッジ７１８は、次いで、図１４のベース部７０２に連結することができる。更に明確にするために、図１６は、垂直軸に沿った図１５の捕虫装置７００の側断面図である。ここで図１５〜図１６を参照すると、インサート７５０は、上述したインサートと同様であり、フレーム７６６、粘着性部分７５２及びリザーバ７７６を有することができる。底部開口部７３４を通してシェル７２２内に完全に挿し込まれると（図１６）、インサート７５０の裏面７５６は、シュラウド７０８の前面７０４に近接して位置付けられることとなる。電気発熱体７１０は、前面７０４の後方に位置付けられ、光源７１４は、インサート７５０の裏面７５６とシュラウド７０８の前面７０４との間に位置付けられている。
【００５０】
捕虫装置１００の動作を準備するために、着座したインサート７５０を備えたシェル７２２は、ユーザによってベース部７０２に連結することができる。連結の結果として、電気接点７４０Ａ〜Ｄは、ベース部７０２の対応する電気接点７４２Ａ〜Ｄに接触することとなる。インサート７５０の構造に応じて、ベース部は、リザーバ７７６の少なくとも一部を受容するように寸法決めされた空洞７２０を含んでもよい。上述した構成と同様に、インサート７５０は、ベース部７０２内のスイッチに係合するように位置付けされた垂下タブ７６４を任意選択的に含むことができる。そのような構成では、例えば、シェル７２２がベース部７０２に係合されて、スイッチもまた垂下タブ７６４によってアクティブにされるときにのみ、電気発熱体７１０及び光源７１４に、電力が供給されることとなる。このようにして、電気発熱体７１０及び光源７１４は、ユーザがインサート７５０をシェル７２２内に適切に位置付け、シェル７２２をベース部７０２に取り付けたときにのみ動作可能となる。
【００５１】
捕虫装置１００の使用後、ユーザは、カートリッジ７１８をベース部７０２から取り外すことができる。インサート７５０は、シェル７２２の一定部分を締め付ける（squeeze）ことによるなどの任意の好適な技術によって、シェル７２２から除去することができる。シュラウド７０８、電気発熱体７１０及び光源７１４は、インサート７５０が除去されたとき、シェル７２２内に保持されたままである。
【００５２】
ここで図１７〜図１８を参照すると、シェル８２２の別の例示的な構成が図示されている。図１７は、関連付けられたベース部８０２を備えるシェル８２２の分解正面図を示す。シェル８２２の前側ハウジングは、説明の目的のために示していない。図１８は、シェル８２２の背面図である。ベース部８０２は、ベース部７０２と同様であり、シェル８２２の電気接点８４０Ａ〜Ｄを受容するように構成された電気接点を含むことができる。シュラウド８０８は、シェル８２２の後側ハウジング８２８に連結されている。図示の構成では、２つの接続点８０９（図１８）は、シュラウド８０８を後側ハウジング８２８に連結するために使用される。以下により詳細に説明するように、これらの接続点８０９は、インサートの除去中に、シェル８２２の様々な屈曲を容易にするために役立つことができる。シュラウド８０８は、動作中にシュラウド８０８の前面８０４を加熱するように構成された電気発熱体（図示せず）を収容することができる。他の構成と同様に、シュラウド８０８の前面８０４は、凹面状とし、前面８０４に近接して取り付けられたＬＥＤ  ８１６又は他の種類の光源と共にテクスチャ加工することができる。
【００５３】
シェル８２２はまた、シェル８２２の内面に少なくとも部分的に沿って延びる、対向するガイドレール８４４を含むことができる。対向するガイドレール８４３の内面８４３は、幅（Ｇ）を有する間隔を形成することができる。インサートをシェル８２２内に滑り込ませると、ガイドレール８４４が、インサート８２２の相対的な配置を摩擦嵌合を介して維持するように、幅（Ｇ）は、インサートの幅よりもわずかに狭くてもよい。他の技術は、インサートをシェル８２２と機械的に係合するために使用されてもよい。シェル８２２からインサートを取り外すために、シェル８２２は、ベース部８０２から除去することができ、ユーザは、シェル８２２の前面及び／又は後面を、それらの部分を内側に屈曲させるために締め付けることができる。例示的なディンプル８９２は、後側ハウジング８２８上の例示的な締め付け点として図１８に示されている。同様のディンプルは、シェル８２２の前側ハウジング上に設けられてもよい。シェル８２２のそれらの部分が内側に屈曲するにつれて、ガイドレール８４３は、外側に広がることとなり、それにより間隔（Ｇ）が増大し、インサートとの摩擦嵌合が解除される。なお、後側ハウジング８２８に対するシュラウド８０８の２つの接続点８０９は、シェル８２２内部でのシュラウド８０８の配置が維持されたまま、インサートが取り外され得るような、シェル８２２の屈曲を容易にするために役立つことができる。
【００５４】
本開示に従った捕虫装置は、動作するために電気を利用する。上述したように、発熱体、光源及び／又は通電可能な誘引要素の他の形態などの様々なオンボードの誘引要素に通電可能とするように、例示的な捕虫装置を、壁コンセントに挿し込むことができる。そのような捕虫装置はまた、虫を捕虫装置に誘引するために役立つ、様々な液体、ゲル又は他の組成物を含んでもよい。使用済みカートリッジを交換するなど、ユーザが定期的に装置に関わるため、安全かつ操作が容易な防虫装置を提供することが重視される。例えば、様々なオンボードの電子部品の観点から、ユーザが装置に関わるとき、例えば、新たなカートリッジに交換し得るように、ユーザが使用済みカートリッジを取り外すときには、そのような電子部品に通電しないことが望ましい。カートリッジがベース部に適切に装着されたときにのみ、そのような電子部品が通電されることもまた望ましい。例えば、カートリッジが適切に挿し込まれたときにのみ光源に電力を供給することは、ユーザに有益な動作フィードバックを提供する。また、オンボードの電子部品の通電解除がカートリッジの除去時に自動的に起きるようにすることもまた、容易な使用及び安全な動作を提供するために望ましい。上記で参照された安全性利益を提供することにおいて、ユーザがカートリッジをベース部内に適切な配向で確実に挿し込むために、カートリッジ及びベース部に構造的特徴を設けることもまた有益である。内部に異物が挿し込まれて、その一部が高電圧を伴う場合がある電子部品と接触するリスクを最小化する、比較的コンパクトな設計を有するベース部を提供することもまた有益である。カートリッジから誘引組成物が意図せず漏れることによってベース部の電子部品にもたらされる危険性を最小化することもまた望ましい。このように、安全であり、全体としてコンパクトかつ見た目が美しい形状因子を更に有しつつ、上記の動作を行うために様々な回路を収容することができるベース部を有することが望ましい。いくつかの構成では、様々な回路を収容することに加えて、オーバーコールするコンパクト設計及び安全性を維持しつつ、誘引要素リザーバの少なくとも一部分を収容するベース部が望ましい。
【００５５】
本明細書に記載の様々な捕虫装置によれば、回路基板（すなわち、図５Ａの回路基板１０６）は、ベース部内に位置付けられる。一般に、回路基板は、電源（例えば、壁コンセント）から電力を受け取り、オンボードの部品に電力を分配する。捕虫装置が一般的な壁コンセントに差し込まれたときに、内部回路基板が、壁に対して概ね平行となるように、回路基板は、ベース部内に垂直に取り付けられてよい。このような構成では、リザーバを有するカートリッジがベース部に取り付けられたとき、回路基板を、（前方から捕虫装置を見たとき）カートリッジのリザーバの後方に位置付けることができ、これにより、虫誘引組成物が回路に接触する可能性が最小化される。回路基板を垂直に位置付けることはまた、コンパクトなベース部を提供することに役立つ。
【００５６】
回路基板又は回路基板の集合体は、以下に制限するわけではないが、電圧制御回路、コンデンサ、集積回路、抵抗器などの様々な部品を含むことができる。回路基板はまた、発熱体及び光源などのオンボードの誘引要素への電気の供給を制御することができるスイッチを含むことができる。例えば、スイッチが第１の（開）位置にあるとき、オンボードの電気誘引要素の一部又は全ては、通電されない。スイッチが第２の（閉）位置にあるとき、全てのオンボードの誘引要素は、通電される。回路基板の垂直配置に起因して、スイッチは、同様に垂直に配向することができる。回路基板上の大型部品の配置選択肢は、ベース部の内部空洞のサイズ制限によって少なくとも部分的に決定され、コンパクトなベース部を提供する要望と両立させることができる。このように、大型部品は、回路基板の中央に位置付けられてもよく、（スイッチなどの）他の低背部品は、回路基板の中央から離れて横方向に離間される。このように、大型部品は、取付ポスト、ベース部の湾曲部などと干渉しないように位置付けることができるが、ベース部のオーバーコール形状因子は、全般的にコンパクトなままにすることができる。
【００５７】
ベース部は、ベース部の内部に取り付けられるスイッチへのアクセスを提供する開口部を含むことができる。スイッチへのアクセスを制限するために、開口部は、スイッチの上方に垂直に位置付けられるスロットとすることができる。スロットは、細長い実質的に平らなタブがスロットを通過して、ベース部の空洞内に入って、スイッチと係合し得ることを可能にするように寸法決めすることができる。しかし、幅が狭く寸法決めされたスロットは、他の異物がスロットを通過する可能性を有益に制限する。上述のように、スイッチは、回路基板の中心から離れて横方向に離間することができる。したがって、スロットは、同様にベース部の中心線からも横方向にずれていてよい。ユーザがカートリッジをベース部に取り付けるとき、タブが、スロット及びスイッチと位置合わせされるように、実質的に平らなタブは、カートリッジの中心線から横方向にずれていてよい。
【００５８】
いくつかの場合では、例えば、狭いスロット及びスイッチ配置に適合して、比較的薄いプロファイルで、長くなっていることにより、スロットに通過させるタブは、一定の可撓性を有していてもよい。そして、ベース部のハウジングは、スイッチに近接して位置付けられた１つ又は２つ以上の垂直ガイドレールを含んでいてもよく、タブがスロットを通過するとき、ガイドレールが、タブをスイッチに向かって付勢するようになっていてもよい。完全に挿し込まれると、タブは、スイッチとガイドレールとの間に位置付けることができる。ガイドレールは、タブがその比較的薄いプロファイル及び可撓性にもかかわらず、確実にスイッチと十分に係合するように位置付け、かつ構成することができる。ガイドレールを、スイッチと近接するように、ベース部の中心線から横方向にずらして位置付けてもよい。また、そのような横方向変位により、回路基板から実質的に離れて突出する場合があるコンデンサ、電圧レギュレータ、トランスなどの、回路基板に取り付けられた大型部品から、ガイドレールをずらし得ることから、コンパクトなベース部を提供しやすくできる。
【００５９】
以下により詳細に説明するように、タブは、ユーザがカートリッジをベース部に取り付けたときに、タブが、スロットを通過してスイッチを閉じるように、カートリッジから延びていてよい。スイッチとスロットとを適切に位置合わせするために、タブは、カートリッジの縦方向中心線から横方向にずれている。上述のベース部の有益な特徴に適合することに加えて、タブを横方向にずらすことは、取り付け時における、ベース部に対するカートリッジの適正な配向を確実にする。カートリッジから垂下する、ずらされたタブを提供することに加えて、カートリッジはまた、いくつかの実施形態では、電気発熱体を含んでもよいベース部の起立したシュラウドを受け入れる比較的大きな底部開口部を含むことができる。そして、いくつかの構成では、底部開口部は、概ねカートリッジの横方向幅にわたって延びている。
【００６０】
図２６Ａ〜図２６Ｂは、例示的なベース部１００２への例示的なカートリッジ１０１８の取り付けを図示する。図２７は、図２６Ａ〜図２６Ｂに示したベース部１００２の等角図である。ここで図２６Ａ、図２６Ｂ及び図２７を参照すると、説明の目的のために、カートリッジ１０１８は、図９Ａ、図９Ｂ及び図１０に示したカートリッジ５１８と同様に構成されるように示されているが、本開示は、そのように限定されない。カートリッジ１０１８は、遠位端１０５０（すなわち、頂部側）及び近位端１０５２（すなわち、底部側）を有する。ベース部１００２は、カートリッジ１０１８がベース１００２に取り付けられたときに、カートリッジ１０１８の近位端１０５２を受け入れるように寸法決めされた空洞１０２０を画定することができる（図２６Ｂ）。近位端１０５２は、タブ１０６４の最も下側の点１０７０から近位端１０５２の最高点まで測定すると、約２５ｍｍ〜約３５ｍｍの高さ（Ｈ）を有することができる。近位端１０５２の高さ（Ｈ）は、空洞１０２０の深さと相関し得る。上述のカートリッジと同様に、カートリッジ１０１８は、虫を受け入れるための細長エンクロージャ１０２２を含むことができる。カートリッジ１０１８はまた、開口部１０３２を通って進入する虫を捕獲するための粘着面１０５４を含むことができる。カートリッジ１０１８は、カートリッジ１０１８を横方向における左右各側に分割する縦方向中心線１０９２を画定する。対称のカートリッジについて、縦方向中心線は、カートリッジを２つの対称的な半体に分割することとなる。非対称のカートリッジについて、縦方向中心線は、カートリッジの幾何中心を垂直に（すなわち、ベース部に取り付けて一般的な壁コンセントに差し込んだとき、カートリッジの構成に対して）通過する。
【００６１】
ベース部１００２はまた、発熱体（図示せず）を収容する起立したシュラウド１００８を有することができる。起立したシュラウド１００８は、カートリッジ１０１８の近位端１０５２がベース部１００２に挿し込まれるとき、カートリッジ１０１８の底部開口部１０３４（図２９Ａ）内に受容され得る。ベース部１００２はまた、１つ又は２つ以上のＬＥＤ  １０１６などの他の誘引要素を含むことができる。
【００６２】
図２６Ａに示すように、近位端１０５２は、実質的に平らな縦方向に延びるタブ１０６４を含むことができる。タブ１０６４は、一方の側に第１の側縁部１０６６を、他方の側に第２の側縁部１０６８を有することができる。タブ１０６４の構成に応じて、図２６Ａに示すように、第１の側縁部１０６６及び第２の側縁部１０６８は、タブ１０６４の最近位点１０７０において合流することができるか、又は、近位面（例えば、図３０の近位縁部１１７４を参照されたい）によって接続することができる。タブ１０６４は、タブがカートリッジ１０１８の縦方向中心線１０９２から横方向にずらされるように、カートリッジ１０１８に対して位置付けられる。図示されているように、タブ１０６４のこの横方向のずれにより、縦方向中心線１０９２は、タブ１０６４のいかなる部分とも重ならない。このとき、タブ１０６４の第１の側縁部１０６６及び第２の側縁部１０６８は、カートリッジ１０１８の縦方向中心線１０９２からそれぞれ横方向にずれている（すなわち、離間されている）。タブ１０６４の幅により、第２の側縁部１０６８は、第１の側縁部１０６６よりも遠くまで、縦方向中心線１０９２から横方向にずれている。更に、第１の側縁部１０６６及び第２の側縁部１０６８は、横方向における同一の方向にずらされているため、タブ１０６４の第１の側縁部１０６６及び第２の側縁部１０６８はどちらも、カートリッジ１０１８の、横方向における同一の側に位置している。
【００６３】
ここで図２７を参照すると、スロット１０４４は、ベース部１００２の空洞１０２０内に位置付けられているように示されている。図示の構成では、溝１０４６は、空洞１０２０にわたって横方向に延び、近位端１０５２が空洞１０２０に挿し込まれているとき、カートリッジ１０１８のリブ１０４８（図２６Ａ）を受容するように寸法決めされている。しかし理解されるように、いくつかのカートリッジは、リブを有さず、そして、関連付けられたベース部は、必ずしも溝１０４６を有さなくてもよい。スロット１０４４は、溝１０４６内に位置付けられ、以下により詳細に説明する、ベース部１００２内に位置付けられたスイッチ１０６０（図２８）の上方に配向される。スロット１０４４は、その深さよりも実質的に大きい幅を有する、概ね狭いスリット開口部である。スロット１０４４は、カートリッジ１０１８のベース部１００２への取り付け時にタブ１０６４を通過させるように寸法決めされている。タブ１０６４との適切な位置合わせを提供するために、スロット１０４４は、ベース部１００２の中心線（図示せず）から横方向にずれている。このスロット１０４４の配置により、カートリッジ１０１８がベース部１００２に対して適切に位置合わせされている場合にのみ、近位端１０５２が空洞１０２０内に完全に挿し込み可能となることが確保される。
【００６４】
図２８は、カートリッジ１０１８が装着された状態のベース部１００２によって画定されたチャンバ１００４の部分切欠図である。回路基板１０７４は、ベース部１００２内で垂直に配向されるように示されている。様々な電子部品は、回路基板１０７４に連結され、回路基板１０７４から離れる方へチャンバ１００４内に延びる。より大型の部品は、サイズ制限のため及びチャンバ１００４内の他の障害物との干渉を解消するため、回路基板１０７４の中央に位置付けることができる。例えば、より大型の部品は、取付ポスト１０２４の間に横方向に配置することができる。カートリッジ１０１８のタブ１０６４は、スロット１０４４を通ってチャンバ１００４内に延びているように示されている（図２７）。タブ１０６４は、回路基板１０７４に連結されたスイッチ１０６０に接触し、それによりスイッチ１０６０を閉じることが示されている。細長タブがスイッチを閉じるためにスイッチのレバー、又は他の種類のアクチュエータに摺動係合するように、スイッチは垂直に配向される。スイッチ１０６０を閉じると、発熱体及び光源などのベース部１００２の様々な部品に通電する。
【００６５】
ベース部１００２はまた、スイッチ１０６０と対向し、かつ外側に離間して位置付けられた１つ又は２つ以上のガイドレール１０２６を含むことができる。ガイドレール１０２６は、タブ１０６４がスロット１０４４を通過するとき、ガイドレール１０２６がタブ１０６４をスイッチ１０６０に対して付勢するように構成することができ、そうしない場合には、タブは、その薄い細長構成により外側に屈曲する恐れがある。いくつかの構成では、ガイドレール１０２６は、ベース部１００２と一体である。
【００６６】
図２９Ａは、図２８の直線２９Ａ−２９Ａに沿ったベース部１００２及びカートリッジ１０１８の断面図である。図２９Ｂは、カートリッジ１０１８を除去した状態のベース部１００２の断面図である。最初に図２９Ａを参照すると、カートリッジ１０１８のタブ１０６４が、回路基板１０７４に垂直に取り付けられたスイッチ１０６０をアクティブにしている様子が示されている。この構成では、タブ１０６４は、カートリッジ１０１８の前面１０３６と後面１０３８との間の概ね中間に位置付けられている。更に、ベース部１００２のガイドレール１０２６は、適切なアクティブ化を確実にするために、タブ１０６４をスイッチ１０６０に向かって付勢することが示されている。図２９Ａは、カートリッジ１０１８がベース部１００２に取り付けられたときに、近位端１０５２（図２６Ａ）が、空洞１０２０内に十分に受容され得ることを更に例示する。近位端１０５２はまた、前面１０３６から内側にくぼんでいるようにすることができる。近位端１０５２の奥行き（Ｄ）は、例えば、約１２ｍｍ〜約１８ｍｍとすることができる。
【００６７】
カートリッジ５１８などの上記のカートリッジと同様に、カートリッジ１０１８は、後側縁部１０２８によって少なくとも部分的に画定された底部開口部１０３４を有する。シュラウド１００８は、カートリッジ１０１８がベース部１００２に取り付けられているとき、底部開口部１０３４を通って受容され得る。底部開口部１０３４は、図９Ｂに示した底部開口部５３４と同様に、実質的にカートリッジ１０１８の一方の横方向の側縁部から、カートリッジ１０１８の反対側の側縁部にかけて延びていてよい。いくつかの実施形態では、底部開口部１０３４は、約７０ｍｍ〜約８０ｍｍの横方向幅及び約２０ｍｍ〜約３０ｍｍの奥行きを有することができる。横方向幅は、底面図に投影したとき、底部開口部の両側間で横方向において測定される値である。奥行きは、底面図上に投影したときの、後方の開口部の前側から後側にかけて測定される。カートリッジ１０１８は、前側エンクロージャ１０１０及び後側エンクロージャ１０１４を有することができる。仕切り１０１２は、カートリッジ１０１８を前側エンクロージャ１０１０と後側エンクロージャ１０１２とに分割することができる。いくつかの実施形態では、仕切り１０１２は、粘着面１０５４を含む。ここで図２９Ｂを参照すると、カートリッジ１０１８を除去した状態で、スイッチ１０６０は、開位置にあることが示され、それによりオンボードの誘引要素は通電されていない。
【００６８】
本開示の範囲を逸脱することなく、多様なタブ構成を利用できることが理解されよう。例えば、タブのサイズ、位置及び構造は、変化してもよい。説明の目的のため、様々な異なる例示的なタブ構成が、図３０〜図３３に図示されている。最初に図３０を参照すると、カートリッジ１１１８の近位端１１５２の最下部分が示されており、ここで、カートリッジ１１１８は、縦方向中心線１１９２を有している。縦方向中心線１１９２は、カートリッジ１１１８を横方向における左右各側に分割する。近位端１１５２は、横方向に延びるリブ１１４８を有する。例えば、リブ１１４８は、カートリッジ１１１８の前方部分及び後方部分が粘着剤、超音波溶接又は他の連結技術を介して接合されるときに形成することができる。近位端１１５２は、細長い実質的に平らなタブ１１６４を含む。この構成では、リブ１１４８は、タブの周縁部を画定するように、タブ１１６４の輪郭に全般的に追従する。タブ１１６４は、第１の側縁部１１６６及び第２の側縁部１１６８を有する。タブ１１６４の構成により、タブ１１６４の周縁部が、第１の側縁部１１６６、近位縁部１１７４及び第２の側縁部１１６８によって集合的に画定されるように、近位縁部１１７４は、第１の側縁部１１６６及び第２の側縁部１１６８と接続している。
【００６９】
この構成では、タブ１１６４の横方向幅は、第１の側縁部１１６６と第２の側縁部１１６８との間の距離として定義される。タブ１１６４の横方向幅は、例えば、近位端１１５２全体の横幅の２５％未満とすることができる。横方向幅は、約１ｍｍ〜約１４ｍｍ、好ましくは、約５ｍｍ〜約１３ｍｍとし、縦方向長さは、約８ｍｍ〜約５０ｍｍ、好ましくは、約１０ｍｍ〜約１８ｍｍとすることができる。タブ１１６４の縦方向長さは、約８ｍｍ〜約５０ｍｍ、好ましくは、約１０ｍｍ〜約１８ｍｍとすることができる。タブ１１６４の最大厚さは、約０．０５ｍｍ〜約３ｍｍ、好ましくは、約１ｍｍ〜約２ｍｍとすることができる。タブ１１６４は、タブ１１６４の幾何中心１１７２を垂直に通り、縦方向中心線１１９２に平行に延びる縦方向中心線１１９４を画定する。タブ１１６４は、対称であるため、縦方向中心線１１９４は、タブ１１６４を２つの対称的な半体に分割する。タブ１１６４の縦方向中心線１１９４は、カートリッジ１１１８の縦方向中心線１１９２からオフセット距離（ＯＤ）だけずれている。いくつかの構成では、オフセット距離（ＯＤ）は、約１１ｍｍ〜約１５ｍｍの範囲である。示すように、このオフセット距離（ＯＤ）により、縦方向中心線１１９２は、タブ１１６４のいかなる部分とも重ならない。タブ１１６４の第１の側縁部１１６６及び第２の側縁部１１６８は、カートリッジ１１１８の縦方向中心線１１９２からそれぞれ横方向にずれている（すなわち、離間されている）。タブ１１６４の幅により、第２の側縁部１１６８は、第１の側縁部１１６６よりも遠くまで、縦方向中心線１１９２から横方向にずれている。更に、第１の側縁部１１６６及び第２の側縁部１１６８は、横方向における同一の方向にずらされているため、タブ１１６４の第１の側縁部１１６６及び第２の側縁部１１６８はどちらも、カートリッジ１１１８の、横方向における同一の側に位置している。
【００７０】
ここで図３１を参照すると、カートリッジ１２１８の近位端１２５２の最下部分が示されており、ここで、カートリッジ１２１８は、縦方向中心線１２９２を有している。縦方向中心線１２９２は、カートリッジ１２１８を横方向における左右各側に分割する。近位端１２５２は、横方向に延びるリブ１２４８を有する。近位端１２５２は、細長い実質的に平らなタブ１２６４を含む。この構成では、リブ１２４８は、概ね近位端１２５２にわたって横方向に延び、タブ１２６４は、リブ１４８から下向きに延びる。タブ１２６４は、第１の側縁部１２６６及び第２の側縁部１２６８を有し、これらの両方は、湾曲して合流する。
【００７１】
この構成では、タブ１２６４の横方向幅は、第１の側縁部１２６６と第２の側縁部１２６８との間の距離として定義され、近位端（すなわち、下側）において、リブ１２４８との境界である頂端部（すなわち、遠位端）よりも狭くなっている。タブ１２６４は、タブ１２６４の幾何中心１２７２を通って垂直に延び、縦方向中心線１２９２に平行の縦方向中心線１２９４を画定する。タブ１２６４の縦方向中心線１２９４は、カートリッジ１２１８の縦方向中心線１２９２からオフセット距離（ＯＤ）だけずれている。いくつかの構成では、オフセット距離（ＯＤ）は、約１１ｍｍ〜約１５ｍｍの範囲である。
【００７２】
ここで図３２を参照すると、カートリッジ１３１８の近位端１３５２の最下部分が示されており、ここで、カートリッジ１３１８は、縦方向中心線１３９２を有している。縦方向中心線１３９２は、カートリッジ１３１８を横方向における左右各側に分割する。近位端１３５２は、横方向に延びるリブ１３４８を有する。近位端１３５２は、細長い実質的に平らなタブ１３６４を含む。この構成では、リブ１３４８は、タブ１３６４全体を形成しており、タブ１３６４は、リブ１３４８と一体となっている。タブ１３６４は、第１の側縁部１３６６及び第２の側縁部１３６８を有する。タブ１３６４は、タブ１３６４の幾何中心１３７２を通って垂直に延び、縦方向中心線１３９２に平行の縦方向中心線１３９４を画定する。タブ１３６４の縦方向中心線１３９４は、カートリッジ１３１８の縦方向中心線１３９２からオフセット距離（ＯＤ）だけずれている。いくつかの構成では、オフセット距離（ＯＤ）は、約１１ｍｍ〜約１５ｍｍの範囲である。
【００７３】
ここで図３３を参照すると、カートリッジ１４１８の近位端１４５２の最下部分が示されており、ここで、カートリッジ１４１８は、縦方向中心線１４９２を有している。縦方向中心線１４９２は、カートリッジ１４１８を横方向における左右各側に分割する。近位端１４５２は、細長い実質的に平らなタブ１４６４を含む。この構成では、タブ１４６４は、不規則な形状であるように示されている。タブ１４６４は、第１の側縁部１４６６及び第２の側縁部１４６８を有し、それらのそれぞれは、タブ１４６４の輪郭に応じて、直線区分及び曲線区分から形成されていてもよい。タブ１４６４は、タブ１４６４の幾何中心１４７２を通って垂直に延び、縦方向中心線１４９２に平行の縦方向中心線１４９４を画定する。タブ１４６４の縦方向中心線１４９４は、カートリッジ１４１８の縦方向中心線１４９２からオフセット距離（ＯＤ）だけずれている。いくつかの構成では、オフセット距離（ＯＤ）は、約１１ｍｍ〜約１５ｍｍの範囲である。
【００７４】
タブ１４６４はまた、タブ１４６４の最下方の平らな部分である、下部１４９８を有している。下部１４９８は、最近位点（すなわち、下側の箇所）からタブ１４６４の頂部に向かって遠位に上向きに延びる。下部の上縁部は、高さ（Ｘ）によって画定される。高さ（Ｘ）は、少なくとも１０ｍｍとすることができる。下部１４９８は、第１の側縁部１４６６及び第２の側縁部１４６８の少なくとも一部分を含む。下部１４９８内にある第１の側縁部１４６６の一部分は、カートリッジ１４５２の縦方向中心線１４９２からずらされている。下部１４９８部分内にあり、カートリッジ１４１８の縦方向中心線１４９２に最も近接した第１の側縁部１４６６の部分は、横方向に横方向距離（Ｙ）だけずらされている。様々な実施形態によれば、横方向距離（Ｙ）は、少なくとも７ｍｍとすることができる。更に、タブ１４６４の下部１４９８の全体最大幅は、約１ｍｍ〜約１４ｍｍとすることができる。
【００７５】
表面温度試験方法
捕虫装置の表面温度は、以下の手順に従って、起動された装置の３つの表面位置にわたって測定される。温度測定は、較正された熱電対型温度計（Ｆｌｕｋｅ  Ｃｏｒｐｏｒａｔｉｏｎ，Ｅｖｅｒｅｔｔ，Ｗａｓｈｉｎｇｔｏｎ，Ｕ．Ｓ．Ａから入手可能な、Ｆｌｕｋｅ  Ｍｏｄｅｌ  ５１など）を用いて行われ、熱電対プローブ先端は、およそ１ｍｍの直径を有する。
【００７６】
測定すべきであると指定された捕虫装置の３つの表面位置は、すなわち、粘着性部分、シュラウドの前面及び電気発熱体の前面である（図１〜図１３Ｂを参照されたい）。それぞれの捕虫装置は、異なる２つの大気条件、すなわち、相対湿度２０〜６０％ＲＨの２３℃±２℃及び相対湿度２０〜６０％ＲＨの３０℃±１℃で測定される。空気の動きが結果に影響を及ぼす恐れがあるため、空気の流れ及び気流から捕虫装置が保護されている間のみ、測定を行う。この試験方法の目的のために、定常状態温度は、５分の監視期間中に±１℃の範囲内で変動する表面温度として定義され、指定された表面のおよそ中央で捕虫装置に接触して配置された熱電対により測定された温度として定義される。
【００７７】
試験されることとなるそれぞれの捕虫装置は、指定された２３℃の大気条件に捕虫装置を設置し、インサート又はカートリッジに関連付けられてもよいライナーなどの任意の剥離ライナーを除去することによって最初に準備される。粘着性部分が装着されたカートリッジは、製造者が提供する任意の指示に従って捕虫装置に装着される。熱電対プローブ先端が測定すべき粘着性部分の領域に接触しやすいように容易にアクセスできるようにするためには、捕虫装置の外側シェルの開口部がサイズ又は位置において不十分である場合には、装置の外側シェルは、変更されてそのようなアクセスが提供される。装置の外側シェルは、必要に応じて除去してもよく、そのような変更は、鋭利な刃を用いてシェルに慎重に穿刺して行われ、複数の小さな穿孔スリットを形成する。それぞれの穿孔は、シェルの厚さにわたって切断されたＸパターンを一緒に形成する１対の重複する直交スリットを含む。スリットは、熱電対プローブ先端がシェルを貫通して測定すべき粘着性部分の領域に接触するのに必要な最小長さである。スリットは、他の方法では、シェルを通って熱電対プローブによりアクセス可能ではない、測定すべき粘着性部分の領域にわたっておよそ１ｃｍの間隔で格子状に配置される。シェルの厚さ及び／又は強度がそのようなスリットの切断を妨げる場合には、プローブ先端直径よりもわずかに大きい孔が、スリット穿孔の代わりにシェルを貫通して穿孔されてもよい。改変されたシェルは、装置上に戻されて再装着される。粘着性部分への適切なアクセスがシェルを改変することによって提供できない場合には、測定すべき粘着性部分の領域に適切なアクセスを提供するためにシェルを除去してもよい。説明の目的のために、図１９は、例示的な捕虫装置９００を図示し、およそ１ｃｍ間隔で孔９６８を穿孔した後のシェル９２２を示す。
【００７８】
捕虫装置は、カートリッジをベース部に装着し、装置ラベル上に指定される、又は、他の方法で指示される、適切な電圧で装置に電力を供給することにより、起動される。次いで、装置は、少なくとも３０分間昇温させる。３０分の加熱後、熱電対温度計を定期的に使用して測定すべき粘着性部分の位置を監視し、装置は、監視位置が定常状態温度に達するまで加温を継続する。定常状態温度が検出されたとき、その装置について、２３℃の条件で、粘着性部分の報告対象の表面温度を測定する準備ができている。
【００７９】
２３℃の条件で粘着性部分を測定するために、測定が加熱された露出粘着領域の表面のおよそ１センチメートル角ごとの範囲内で行われるように、表面温度は、グリッドパターンで繰り返し測定される。加熱されたシュラウド部分の直前にあるグリッド型測定の平均値が算出され（定常状態平均温度）、これらのグリッド型測定の最小値及び最大値の両方はまた、（ｉ）シュラウドの直前にあるかどうかにかかわらず、加熱された粘着性部分全体について（それぞれ最小定常状態温度及び最大定常状態温度）、（ｉｉ）シュラウドの直前にある粘着性部分について（それぞれ直接熱最小定常状態温度及び直接熱最大定常状態温度）決定される。これらの３つの温度計量法の値は、２３℃の大気条件で粘着性部分について報告される。
【００８０】
次いで、装置は、指定された３０℃大気条件に置かれ、電力で起動され、少なくとも３０分間、粘着性部分が再び定常状態温度に達するまで加熱される。熱電対型温度計はまた、同一大気条件下で平衡化される。次いで、粘着性部分は、上記で指定された同じ３つの温度計量法の値を決定するために、上記で使用した同じグリッドパターン技術及び計算を用い再度測定されるが、この場合は結果が３０℃の大気圧条件で取得かつ報告されることを除く。
【００８１】
シュラウドの前面の測定を開始する前に、装置の外側シェルを除去し、下記のように粘着性部分が修正されるまで残しておく。シェルを一時的に取り外すことができない場合、前方部分は、粘着性部分の必要な変更後に交換することができるような様式で切除してもよい。シェル又はシェルの前方部分が一時的に除去された後、粘着性部分は、装置から除去され、シェルの変更用に上述された様式に類似する様式で、複数のスリット又は小孔により慎重に開口形成される。それぞれの開口部は、直径がおよそ１ｍｍの寸法を有し、熱電対プローブが粘着性部分を通過できるようにするのに十分である。粘着性部分が穿刺処理後に支持フレーム又は架台に確実に良好に取り付けられたままにするように配慮される。孔は、粘着シートにわたって、粘着性部分の温度を記録するときに以前測定されたほぼ同一の位置に、およそ１ｃｍ間隔のグリッドパターンで配列される。それぞれの開口部は、加熱されたハウジングの表面の部分の直前の粘着シートに、シェルを交換した後にシェルの開口部と位置合わせされて、配置されるべきである。開口形成された粘着性部分は、装置内に再装填され、外側シェル又はシェル部分は、交換される。説明の目的のために、図２０は、例示的な捕虫装置９００を図示し、およそ１ｃｍ間隔で孔９７０を穿孔した後で、シェルに再取り付けする前の粘着性部分９５２を示す。
【００８２】
穿孔された粘着性部分を備えた装置は、指定された２３℃の大気条件に置かれ、電力で起動され、少なくとも３０分間、シュラウドの前面が定常状態温度に達するまで加熱される。次いで、シュラウドの前面の表面は、熱電対をシェル内の開口部（すなわち、図１９の孔９６８）及び粘着性部分の開口部（図２０の孔９７０）の両方を通過させることにより、グリッドパターンで測定される。グリッドパターンで測定された温度の値は、２３℃で大気圧条件で定常状態平均温度、最小定常状態温度及び最大定常状態温度を決定するために使用されるが、この場合には結果がシュラウドの前面から取得かつ報告されることを除く。
【００８３】
次いで、装置は、指定された３０℃大気条件に配置され、電力で起動され、少なくとも３０分間、シュラウドの前面が再び定常状態温度に達するまで加熱される。熱電対型温度計はまた、同一大気条件下で平衡化される。次いで、シュラウドの前面は、上記で指定された同じ３つの温度計量法の値を決定するために、上記で使用した同じグリッドパターン技術及び計算を用い再度測定されるが、この場合は結果が３０℃の大気圧条件で取得かつ報告されることを除く。
【００８４】
装置の様々な構造部品は、電気発熱体が電気発熱体に電力供給かつ制御する電子回路基板に機能的に取り付けられたまま、電気発熱体の全ての表面への直接アクセスを提供するために分解かつ除去される。測定処理のこの段階中に安全を確保して感電を防止するために、追加の配慮をすべきである。露出した機能性の電気発熱体を備える捕虫装置は、指定された２３℃大気条件に置かれ、電力により起動され、少なくとも３０分間、電気発熱体の前面が定常状態温度に達するまで加熱される。電気発熱体の前面の表面温度は、熱電対により単一の位置、すなわち、電気発熱体の面の表面のほぼ中央で測定される。２３℃大気条件で電気発熱体の前面から得られた温度測定値は、装置の設定点温度（Ｔｓ）として報告される。
【実施例】
【００８５】
以下の実施例は、例示の目的のためにのみ提供され、本発明の趣旨及び範囲から逸脱することなく多くの変更が可能であることから、本発明を限定するものとして解釈されるべきではない。
【００８６】
１．実施例１
図２１及び図２２は、内部に４つの抵抗発熱体と２つのＬＥＤを有する回路基板を含む、起立した通気ハウジングを備えるベース部の例を示す。４つの抵抗体のそれぞれは、３．３ｋΩの抵抗体であった。この特定の設計は、粘着シートの裏面の約５８．５ｃｍ２の表面積に対し、約６．５ｃｍ２の（通気部の表面積を含む）起立した通気ハウジングの前面表面積を有していた。カートリッジは、カートリッジがベース部に係合したとき、起立した通気ハウジングが、粘着シートに対する裏面に近接して配置されるように、ベース部に係合するように適合された。図２３は、約２２℃及び相対湿度約５０％の周囲条件における１２か所での粘着シートの表面の測定温度を示す。図２４は、約３１℃及び相対湿度約５０％の周囲条件における１２か所での粘着シートの表面の温度を示す。シュラウドの輪郭は、粘着性部分の輪郭の内部の範囲内で図２３及び図２４に示されている。全ての温度測定は、動作１．５時間後に定常状態条件で行われた。定常状態平均温度は、図２３では３０℃であり、図２４では３７℃であった。最大定常状態温度は、図２３では３７．２℃であり、図２４では４３．３℃であった。熱最小定常状態温度は、図２３では２６．６℃であり、図２４では３３．８℃であった。直接熱最大定常状態温度は、図２３では３７．２℃であり、図２４では４３．３℃であった。直接熱最小定常状態温度は、図２３では３５．５℃であり、図２４では３８．３℃であった。この実施例は、実施例２より高い定常状態平均温度にもかかわらず、シュラウドの輪郭の外側で温度が大幅に低下することを示す。
【００８７】
２．実施例２
ＳｈｅｎＺｈｅｎ  Ｊｉｎｋｅ  Ｓｐｅｃｉａｌ  Ｍａｔｅｒｉａｌｓ  Ｃｏ．，Ｌｔｄ．により製造されたＰＴＣサーミスタ、モデル番号１５−６−３によって加熱された金属板を内部に含む起立したハウジングを備えるベース部を有する図４〜図５に示した装置と類似する装置を試験した。ＰＴＣサーミスタのこのモデルは、６０℃±５℃の目標表面温度を有する。この特定の設計は、粘着シートの裏面の約４７ｃｍ２の表面積に対して、約３５ｃｍ２の起立したハウジングの前面表面積を有していた。本明細書の図４に示したカートリッジと同様の設計のカートリッジは、起立したハウジングが、カートリッジがベース部に係合したとき、粘着シートに対する裏面に近接して配置されるように、ベース部と係合するように適合された。図２５は、約２２℃及び相対湿度５０％の周囲条件における２９か所での粘着シートの表面の温度を示す。シュラウドの輪郭は、粘着性部分の輪郭の内側の範囲内で図２５に示されている。全ての温度測定は、動作１．５時間後に定常状態条件で行われた。定常状態平均温度は、３２．５℃であった。最大定常状態温度は、３４．４℃であった。熱最小定常状態温度は、２８．９℃であった。直接熱最大定常状態温度は、３４．４℃であった。直接熱最小定常状態温度は、３１．７℃であった。この例では、実施例１よりも低い定常状態平均温度にもかかわらず、シュラウドの輪郭を越えた温度の低下がより少ないことを示す。
【００８８】
本明細書に開示されている寸法及び／又は値は、列挙した正確な数値寸法及び／又は値に厳しく制限されるものとして理解すべきではない。むしろ、別段の指定のない限り、このような寸法及び／又は値のそれぞれは、列挙した寸法及び／若しくは値、並びにその寸法及び／若しくは値の近辺の機能的に同等の範囲の両方を意味することを意図している。例えば、「４０ｍｍ」として開示される寸法は、「約４０ｍｍ」を意味するものとする。
【００８９】
あらゆる相互参照又は関連特許若しくは関連出願を含む、本明細書で引用される全ての文献は、明確に除外ないしは別の方法で限定されない限り、その全体が本明細書に参照として組み込まれる。いかなる文献の引用も、本明細書中で開示又は特許請求されている任意の発明に関する先行技術であることを認めるものではなく、あるいは上記の引用が、単独で又は任意の他の参考文献（単数又は複数）と組み合わせて、任意のそのような発明を教示、示唆、又は開示することを認めるものではない。更に、本文書における用語の任意の意味又は定義が、参照により組み込まれた文書内の同じ用語の意味又は定義と矛盾する場合、本文書におけるその用語に割り当てられた意味又は定義が適用されるものとする。
【００９０】
本発明の特定の実施形態を例示及び説明してきたが、本発明の趣旨及び範囲から逸脱することなく他の様々な変更及び修正を行うことができる点は当業者には明白であろう。したがって、本発明の範囲内に含まれるそのような全ての変更及び修正は、添付の特許請求の範囲にて網羅することを意図したものである。
【図１】
2019517814.tif 000003
【図２】
2019517814.tif 000004
【図３Ａ】
2019517814.tif 000005
【図３Ｂ】
2019517814.tif 000006
【図４】
2019517814.tif 000007
【図５Ａ】
2019517814.tif 000008
【図５Ｂ】
2019517814.tif 000009
【図６Ａ】
2019517814.tif 000010
【図６Ｂ】
2019517814.tif 000011
【図７Ａ】
2019517814.tif 000012
【図７Ｂ】
2019517814.tif 000013
【図８】
2019517814.tif 000014
【図９Ａ】
2019517814.tif 000015
【図９Ｂ】
2019517814.tif 000016
【図１０】
2019517814.tif 000017
【図１１】
2019517814.tif 000018
【図１２】
2019517814.tif 000019
【図１３Ａ】
2019517814.tif 000020
【図１３Ｂ】
2019517814.tif 000021
【図１４】
2019517814.tif 000022
【図１５】
2019517814.tif 000023
【図１６】
2019517814.tif 000024
【図１７】
2019517814.tif 000025
【図１８】
2019517814.tif 000026
【図１９】
2019517814.tif 000027
【図２０】
2019517814.tif 000028
【図２１】
2019517814.tif 000029
【図２２】
2019517814.tif 000030
【図２３】
2019517814.tif 000031
【図２４】
2019517814.tif 000032
【図２５】
2019517814.tif 000033
【図２６Ａ】
2019517814.tif 000034
【図２６Ｂ】
2019517814.tif 000035
【図２７】
2019517814.tif 000036
【図２８】
2019517814.tif 000037
【図２９Ａ】
2019517814.tif 000038
【図２９Ｂ】
2019517814.tif 000039
【図３０】
2019517814.tif 000040
【図３１】
2019517814.tif 000041
【図３２】
2019517814.tif 000042
【図３３】
2019517814.tif 000043
【国際調査報告】
2019517814.tif 000044
2019517814.tif 000045